(57)【特許請求の範囲】
【請求項１】
無線通信ネットワークにおいてユーザ機器（ＵＥ）により制御情報を送信する方法であって、前記方法は、
パラメータに従って制御情報およびＳＲＳ（Ｓｏｕｎｄｉｎｇ  Ｒｅｆｅｒｅｎｃｅ  Ｓｉｇｎａｌ）のうちの少なくとも一つを送信することを含み、
前記制御情報と前記ＳＲＳとが同一のサブフレームにおいて一致した場合に、
前記パラメータが第１の値にセットされている場合に、前記制御情報が、前記同一のサブフレームにおける前記制御情報および前記ＳＲＳの送信を可能にするように構成された第１のフォーマットで搬送波集合を用いて送信され、
前記パラメータが第２の値にセットされている場合に、前記制御情報が、前記同一のサブフレームを介して第２のフォーマットで前記搬送波集合を用いて送信され、前記ＳＲＳは送信されず、
前記制御情報は、ＰＵＣＣＨ（ｐｈｙｓｉｃａｌ  ｕｐｌｉｎｋ  ｃｏｎｔｒｏｌ  ｃｈａｎｎｅｌ）を介して送信され、
前記搬送波集合を用いて制御情報を送信することは、複数のＣＣ（ｃｏｍｐｏｎｅｎｔ  ｃａｒｒｉｅｒ）の中の一つ以上のＣＣを介して前記制御情報を同時に送信することを含み、前記一つ以上のＣＣは、ＣＣ容量に従って前記ＵＥに割り当てられる、方法。
【請求項２】
前記ＰＵＣＣＨは、前記パラメータが前記第１の値にセットされている場合に、縮小されたＰＵＣＣＨフォーマット１／１ａ／１ｂまたは縮小されたＰＵＣＣＨフォーマット３に対応する、請求項１に記載の方法。
【請求項３】
前記ＰＵＣＣＨは、前記パラメータが前記第２の値にセットされている場合に、一般ＰＵＣＣＨフォーマット１／１ａ／１ｂまたは一般ＰＵＣＣＨフォーマット３に対応する、請求項１に記載の方法。
【請求項４】
前記制御情報は、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）および肯定ＳＲ（ｓｃｈｅｄｕｌｉｎｇ  ｒｅｑｕｅｓｔ）のうちの少なくとも一つである、請求項１に記載の方法。
【請求項５】
前記パラメータは、上位階層によって提供される、請求項１に記載の方法。
【請求項６】
前記複数のＣＣのうちの少なくとも一つのＣＣのサブフレームにおいてＰＵＳＣＨ（ｐｈｙｓｉｃａｌ  ｕｐｌｉｎｋ  ｓｈａｒｅｄ  ｃｈａｎｎｅｌ）を介してアップリンクデータを送信することをさらに含む、請求項１に記載の方法。
【請求項７】
前記同一のサブフレームは、ユーザ機器（ＵＥ）特定パラメータにより設定された複数のＵＥ特定サブフレームのうちの一つである、請求項１に記載の方法。
【請求項８】
前記ＵＥ特定パラメータは、前記複数のＵＥ特定サブフレームのオフセットおよび周期を示す、請求項７に記載の方法。
【請求項９】
前記複数のＵＥ特定サブフレームは、セル特定パラメータにより設定された複数のセル特定サブフレームの部分集合である、請求項７に記載の方法。
【請求項１０】
前記同一のサブフレームは、セル特定パラメータにより設定された複数のセル特定サブフレームのうちの一つである、請求項１に記載の方法。
【請求項１１】
ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）シンボルの一部または全部の帯域幅が前記同一のサブフレームの送信に割り当てられる、請求項１に記載の方法。
【請求項１２】
無線通信ネットワークにおいて制御情報を基地局に送信するように構成されたユーザ機器（ＵＥ）であって、前記ＵＥは、
メモリと、
送受信機と、
前記メモリおよび前記送受信機に作用可能に接続されるプロセッサと
を備え、
前記プロセッサは、パラメータに従って制御情報およびＳＲＳ（Ｓｏｕｎｄｉｎｇ  Ｒｅｆｅｒｅｎｃｅ  Ｓｉｇｎａｌ）のうちの少なくとも一つを送信するように構成され、
前記制御情報と前記ＳＲＳとが同一のサブフレームにおいて一致した場合に、
前記パラメータが第１の値にセットされている場合に、前記制御情報が、前記同一のサブフレームにおける前記制御情報および前記ＳＲＳの送信を可能にするように構成された第１のフォーマットで搬送波集合を用いて送信され、
前記パラメータが第２の値にセットされている場合に、前記制御情報が、前記同一のサブフレームを介して第２のフォーマットで前記搬送波集合を用いて送信され、前記ＳＲＳは送信されず、
前記制御情報は、ＰＵＣＣＨ（ｐｈｙｓｉｃａｌ  ｕｐｌｉｎｋ  ｃｏｎｔｒｏｌ  ｃｈａｎｎｅｌ）を介して送信され、
前記搬送波集合を用いて制御情報を送信することは、複数のＣＣ（ｃｏｍｐｏｎｅｎｔ  ｃａｒｒｉｅｒ）の中の一つ以上のＣＣを介して前記制御情報を同時に送信することを含み、前記一つ以上のＣＣは、ＣＣ容量に従って前記ＵＥに割り当てられる、ＵＥ。
【発明の詳細な説明】
【技術分野】
【０００１】
本発明は、無線通信に関し、より詳しくは、無線通信システムにおけるデータ送信方法及び装置に関する。
【背景技術】
【０００２】
無線通信システムでは、データの送／受信、システム同期獲得、チャネル情報フィードバックなどのためにアップリンクチャネルまたはダウンリンクチャネルを推定する必要がある。無線通信システム環境では、多重経路時間遅延のためフェーディングが発生するようになる。フェーディングによる急激な環境変化により発生する信号の歪曲を補償して送信信号を復元する過程をチャネル推定という。また、端末が属するセル或いは他のセルに対するチャネル状態（ｃｈａｎｎｅｌ  ｓｔａｔｅ）を測定する必要がある。チャネル推定またはチャネル状態測定のために、一般的に送受信機が相互間に知っている参照信号（ＲＳ；Ｒｅｆｅｒｅｎｃｅ  Ｓｉｇｎａｌ）を用いてチャネル推定を実行するようになる。
【０００３】
参照信号送信に使われる副搬送波を参照信号副搬送波といい、データ送信に使われるリソース要素をデータ副搬送波という。ＯＦＤＭシステムにおいて、参照信号は、全ての副搬送波に割り当てる方式及びデータ副搬送波間に割り当てる方式がある。参照信号を全ての副搬送波に割り当てる方式は、チャネル推定性能の利得を得るために、プリアンブル信号のように参照信号のみからなる信号を用いる。これを使用する場合、一般的に参照信号の密度が高いため、データ副搬送波間に参照信号を割り当てる方式に比べてチャネル推定性能が改善されることができる。然しながら、データの送信量が減少されるため、データの送信量を増大させるためには、データ副搬送波間に参照信号を割り当てる方式を使用するようになる。このような方法を使用する場合、参照信号の密度が減少するため、チャネル推定性能の劣化が発生するようになり、これを最小化することができる適切な配置が要求される。
【０００４】
受信機は、参照信号の情報を知っているため、受信された信号でこれを分けてチャネルを推定することができ、推定されたチャネル値を補償して送信端で送ったデータを正確に推定することができる。送信機で送る参照信号をｐ、参照信号が送信中に経るようになるチャネル情報をｈ、受信機で発生する熱雑音をｎ、受信機で受信された信号をｙとすると、ｙ＝ｈ・ｐ＋ｎのように示すことができる。この時、参照信号ｐは、受信機が既に知っているため、ＬＳ（Ｌｅａｓｔ  Ｓｑｕａｒｅ）方式を用いる場合、数式１のようにチャネル情報
【０００５】
【化１】
0005503752.tif 000002
を推定することができる。
【０００６】
【数１】
0005503752.tif 000003
この時、参照信号ｐを用いて推定したチャネル推定値
【０００７】
【化２】
0005503752.tif 000004
は、
【０００８】
【化３】
0005503752.tif 000005
値に応じてその正確度が決定されるようになる。従って、正確なｈ値の推定のためには、      
【０００９】
【化４】
0005503752.tif 000006
が０に収束しなければならず、このためには多くの個数の参照信号を用いてチャネルを推定することで
【００１０】
【化５】
0005503752.tif 000007
の影響を最小化しなければならない。優秀なチャネル推定性能のための多様なアルゴリズムが存在することができる。
【００１１】
アップリンク参照信号は、復調参照信号（ＤＭＲＳ；Ｄｅｍｏｄｕｌａｔｉｏｎ  Ｒｅｆｅｒｅｎｃｅ  Ｓｉｇｎａｌ）とサウンディング参照信号（ＳＲＳ；Ｓｏｕｎｄｉｎｇ  Ｒｅｆｅｒｅｎｃｅ  Ｓｉｇｎａｌ）とに区分されることができる。ＤＭＲＳは、受信された信号の復調のためのチャネル推定に使われる参照信号である。ＤＭＲＳは、ＰＵＳＣＨまたはＰＵＣＣＨの送信と結合されることができる。ＳＲＳは、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに用いる。
【００１２】
一方、搬送波集合システムは、無線通信システムが広帯域をサポートしようとする時、目標とする広帯域より小さい帯域幅を有する１個以上の搬送波を集めて広帯域を構成するシステムを意味する。搬送波集合システムにおける端末は、容量に応じて一つまたは複数の搬送波を同時に送信または受信することができる。搬送波集合システムで従来使われた送信技術が新たに定義されることができる。
【００１３】
搬送波集合システムでＳＲＳ及びデータを効率的に送信するための方法が必要である。
【発明の概要】
【発明が解決しようとする課題】
【００１４】
本発明の技術的課題は、無線通信システムにおけるデータ送信方法及び装置を提供することである。
【課題を解決するための手段】
【００１５】
一態様において、無線通信システムにおけるデータ送信方法が提供される。前記データ送信方法は、ＳＲＳ（Ｓｏｕｎｄｉｎｇ  Ｒｅｆｅｒｅｎｃｅ  Ｓｉｇｎａｌ）サブフレームで、複数のコンポーネント搬送波（ＣＣ；Ｃｏｍｐｏｎｅｎｔ  Ｃａｒｒｉｅｒ）のうち、第１のＣＣに割り当てられたＰＵＣＣＨ（Ｐｈｙｓｉｃａｌ  Ｕｐｌｉｎｋ  Ｃｏｎｔｒｏｌ  Ｃｈａｎｎｅｌ）リソースを介してアップリンク制御情報（ＵＣＩ；Ｕｐｌｉｎｋ  Ｃｏｎｔｒｏｌ  Ｉｎｆｏｒｍａｔｉｏｎ）を送信することを含み、前記ＳＲＳサブフレームで、前記複数のＣＣのうち、第２のＣＣは、ＳＲＳ送信のために留保されるＳＲＳ  ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルを含む。
【００１６】
前記ＳＲＳ  ＳＣ−ＦＤＭＡシンボルは、前記ＳＲＳサブフレームの最後のＳＣ−ＦＤＭＡシンボルである。
【００１７】
前記ＰＵＣＣＨリソースは、縮小された（ｓｈｏｒｔｅｎｅｄ）ＰＵＣＣＨフォーマット１／１ａ／１ｂまたは縮小されたＰＵＣＣＨフォーマット３に基づいて割り当てられる。
【００１８】
前記データ送信方法は、前記ＳＲＳ  ＳＣ−ＦＤＭＡシンボルを介してＳＲＳを送信することをさらに含む。
【００１９】
前記ＰＵＣＣＨリソースは、一般（ｎｏｒｍａｌ）ＰＵＣＣＨフォーマット１／１ａ／１ｂ、ＰＵＣＣＨフォーマット２／２ａ／２ｂまたは一般ＰＵＣＣＨフォーマット３のうちいずれか一つに基づいて割り当てられる。
【００２０】
前記ＳＲＳ  ＳＣ−ＦＤＭＡシンボルを介してＳＲＳが送信されない。
【００２１】
前記データ送信方法は、前記第１のＣＣまたは第２のＣＣのうち少なくとも一つに割り当てられたＰＵＳＣＨ（Ｐｈｙｓｉｃａｌ  Ｕｐｌｉｎｋ  Ｓｈａｒｅｄ  Ｃｈａｎｎｅｌ）リソースを介してアップリンクデータを送信することをさらに含む。
【００２２】
前記ＰＵＳＣＨは、前記ＳＲＳ  ＳＣ−ＦＤＭＡシンボルを除いてレートマッチング（ｒａｔｅ−ｍａｔｃｈｉｎｇ）される。
【００２３】
前記ＳＲＳサブフレームは、端末特定（ＵＥ−ｓｐｅｃｉｆｉｃ）ＳＲＳパラメータ（ｐａｒａｍｅｔｅｒ）により設定される複数の端末特定ＳＲＳサブフレームのうちいずれか一つである。
【００２４】
前記端末特定ＳＲＳパラメータは、前記複数の端末特定ＳＲＳサブフレームの周期及びオフセット（ｏｆｆｓｅｔ）を指示する。
【００２５】
前記複数の端末特定ＳＲＳサブフレームは、セル特定（ｃｅｌｌ−ｓｐｅｃｉｆｉｃ）ＳＲＳパラメータにより設定される複数のセル特定ＳＲＳサブフレームの部分集合である。
【００２６】
前記ＳＲＳサブフレームは、セル特定ＳＲＳパラメータにより設定される複数のセル特定ＳＲＳサブフレームのうちいずれか一つである。
【００２７】
前記ＳＲＳに割り当てられるＳＣ−ＦＤＭＡシンボルの一部または全部の帯域幅が前記ＳＲＳの送信のために割り当てられる。
【００２８】
前記ＰＵＣＣＨリソースは、ＲＲＣ（Ｒａｄｉｏ  Ｒｅｓｏｕｒｃｅ  Ｃｏｎｔｒｏｌ）メッセージにより指示される。
【００２９】
他の態様において、無線通信システムにおける端末が提供される。前記端末は、ＳＲＳサブフレームで、複数のＣＣのうち、第１のＣＣに割り当てられたＰＵＣＣＨリソースを介してＵＣＩを送信するＲＦ（Ｒａｄｉｏ  Ｆｒｅｑｕｅｎｃｙ）部、及び前記ＲＦ部と連結されるプロセッサを含み、前記ＳＲＳサブフレームで、前記複数のＣＣのうち、第２のＣＣは、ＳＲＳ送信のために留保されるＳＲＳ  ＳＣ−ＦＤＭＡシンボルを含む。
本発明は、例えば以下の項目を提供する。
（項目１）
無線通信システムにおけるデータ送信方法において、
ＳＲＳ（Ｓｏｕｎｄｉｎｇ  Ｒｅｆｅｒｅｎｃｅ  Ｓｉｇｎａｌ）サブフレームで、複数のコンポーネント搬送波（ＣＣ；Ｃｏｍｐｏｎｅｎｔ  Ｃａｒｒｉｅｒ）のうち、第１のＣＣに割り当てられたＰＵＣＣＨ（Ｐｈｙｓｉｃａｌ  Ｕｐｌｉｎｋ  Ｃｏｎｔｒｏｌ  Ｃｈａｎｎｅｌ）リソースを介してアップリンク制御情報（ＵＣＩ；Ｕｐｌｉｎｋ  Ｃｏｎｔｒｏｌ  Ｉｎｆｏｒｍａｔｉｏｎ）を送信することを含み、
前記ＳＲＳサブフレームで、前記複数のＣＣのうち、第２のＣＣは、ＳＲＳ送信のために留保されるＳＲＳ  ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルを含むことを特徴とするデータ送信方法。
（項目２）
前記ＳＲＳ  ＳＣ−ＦＤＭＡシンボルは、前記ＳＲＳサブフレームの最後のＳＣ−ＦＤＭＡシンボルであることを特徴とする項目１に記載のデータ送信方法。
（項目３）
前記ＰＵＣＣＨリソースは、縮小された（ｓｈｏｒｔｅｎｅｄ）ＰＵＣＣＨフォーマット１／１ａ／１ｂまたは縮小されたＰＵＣＣＨフォーマット３に基づいて割り当てられることを特徴とする項目１に記載のデータ送信方法。
（項目４）
前記ＳＲＳ  ＳＣ−ＦＤＭＡシンボルを介してＳＲＳを送信することをさらに含むことを特徴とする項目３に記載のデータ送信方法。
（項目５）
前記ＰＵＣＣＨリソースは、一般（ｎｏｒｍａｌ）ＰＵＣＣＨフォーマット１／１ａ／１ｂ、ＰＵＣＣＨフォーマット２／２ａ／２ｂまたは一般ＰＵＣＣＨフォーマット３のうちいずれか一つに基づいて割り当てられることを特徴とする項目１に記載のデータ送信方法。
（項目６）
前記ＳＲＳ  ＳＣ−ＦＤＭＡシンボルを介してＳＲＳが送信されないことを特徴とする項目５に記載のデータ送信方法。
（項目７）
前記第１のＣＣまたは第２のＣＣのうち少なくとも一つに割り当てられたＰＵＳＣＨ（Ｐｈｙｓｉｃａｌ  Ｕｐｌｉｎｋ  Ｓｈａｒｅｄ  Ｃｈａｎｎｅｌ）リソースを介してアップリンクデータを送信することをさらに含むことを特徴とする項目１に記載のデータ送信方法。
（項目８）
前記ＰＵＳＣＨは、前記ＳＲＳ  ＳＣ−ＦＤＭＡシンボルを除いてレートマッチング（ｒａｔｅ−ｍａｔｃｈｉｎｇ）されることを特徴とする項目７に記載のデータ送信方法。
（項目９）
前記ＳＲＳサブフレームは、端末特定（ＵＥ−ｓｐｅｃｉｆｉｃ）ＳＲＳパラメータ（ｐａｒａｍｅｔｅｒ）により設定される複数の端末特定ＳＲＳサブフレームのうちいずれか一つであることを特徴とする項目１に記載のデータ送信方法。
（項目１０）
前記端末特定ＳＲＳパラメータは、前記複数の端末特定ＳＲＳサブフレームの周期及びオフセット（ｏｆｆｓｅｔ）を指示することを特徴とする項目９に記載のデータ送信方法。
（項目１１）
前記複数の端末特定ＳＲＳサブフレームは、セル特定（ｃｅｌｌ−ｓｐｅｃｉｆｉｃ）ＳＲＳパラメータにより設定される複数のセル特定ＳＲＳサブフレームの部分集合であることを特徴とする項目９に記載のデータ送信方法。
（項目１２）
前記ＳＲＳサブフレームは、セル特定ＳＲＳパラメータにより設定される複数のセル特定ＳＲＳサブフレームのうちいずれか一つであることを特徴とする項目１に記載のデータ送信方法。
（項目１３）
前記ＳＲＳ  ＳＣ−ＦＤＭＡシンボルの一部または全部の帯域幅が前記ＳＲＳの送信のために割り当てられることを特徴とする項目１に記載のデータ送信方法。
（項目１４）
前記ＰＵＣＣＨリソースは、ＲＲＣ（Ｒａｄｉｏ  Ｒｅｓｏｕｒｃｅ  Ｃｏｎｔｒｏｌ）メッセージにより指示されることを特徴とする項目１に記載のデータ送信方法。
（項目１５）
無線通信システムにおいて、
ＳＲＳ（Ｓｏｕｎｄｉｎｇ  Ｒｅｆｅｒｅｎｃｅ  Ｓｉｇｎａｌ）サブフレームで、複数のコンポーネント搬送波（ＣＣ；Ｃｏｍｐｏｎｅｎｔ  Ｃａｒｒｉｅｒ）のうち、第１のＣＣに割り当てられたＰＵＣＣＨ（Ｐｈｙｓｉｃａｌ  Ｕｐｌｉｎｋ  Ｃｏｎｔｒｏｌ  Ｃｈａｎｎｅｌ）リソースを介してアップリンク制御情報（ＵＣＩ；Ｕｐｌｉｎｋ  Ｃｏｎｔｒｏｌ  Ｃｈａｎｎｅｌ）を送信するＲＦ（Ｒａｄｉｏ  Ｆｒｅｑｕｅｎｃｙ）部；及び、
前記ＲＦ部と連結されるプロセッサ；を含み、
前記ＳＲＳサブフレームで、前記複数のＣＣのうち、第２のＣＣは、ＳＲＳ送信のために留保されるＳＲＳ  ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルを含むことを特徴とする端末。
【発明の効果】
【００３０】
搬送波集合システムで、サウンディング参照信号（ＳＲＳ；Ｓｏｕｎｄｉｎｇ  Ｒｅｆｅｒｅｎｃｅ  Ｓｉｇｎａｌ）とＰＵＣＣＨ（Ｐｈｙｓｉｃａｌ  Ｕｐｌｉｎｋ  Ｃｏｎｔｒｏｌ  Ｃｈａｎｎｅｌ）が同時に送信されるように構成される場合、データを効率的に送信することができる。
【図面の簡単な説明】
【００３１】
【図１】無線通信システムである。
【図２】３ＧＰＰ  ＬＴＥにおける無線フレーム（ｒａｄｉｏ  ｆｒａｍｅ）の構造を示す。
【図３】一つのダウンリンクスロットに対するリソースグリッド（ｒｅｓｏｕｒｃｅ  ｇｒｉｄ）の一例を示す。
【図４】ダウンリンクサブフレームの構造を示す。
【図５】アップリンクサブフレームの構造を示す。
【図６】搬送波集合システムを構成する送信機と受信機の一例である。
【図７】搬送波集合システムを構成する送信機と受信機の他の例である。
【図８】搬送波集合システムを構成する送信機と受信機の他の例である。
【図９】非対称搬送波集合システムの一例を示す。
【図１０】ＵＬ−ＳＣＨ（Ｕｐｌｉｎｋ  Ｓｈａｒｅｄ  Ｃｈａｎｎｅｌ）トランスポートチャネル（ｔｒａｎｓｐｏｒｔｃｈａｎｎｅｌ）の処理過程の一例である。
【図１１】提案されたＳＲＳサブフレームでのデータ送信方法に対する構成の一例である。
【図１２】提案されたＳＲＳサブフレームでのデータ送信方法に対する構成の一例である。
【図１３】提案されたＳＲＳサブフレームでのデータ送信方法に対する構成の一例である。
【図１４】提案されたＳＲＳサブフレームでのデータ送信方法に対する構成の他の例である。
【図１５】提案されたＳＲＳサブフレームでのデータ送信方法に対する構成の他の例である。
【図１６】提案されたＳＲＳサブフレームでのデータ送信方法に対する構成の他の例である。
【図１７】提案されたＳＲＳサブフレームでのデータ送信方法に対する構成の他の例である。
【図１８】提案されたＳＲＳサブフレームでのデータ送信方法に対する構成の他の例である。
【図１９】提案されたＳＲＳサブフレームでのデータ送信方法に対する構成の他の例である。
【図２０】提案されたデータ送信方法の一実施例である。
【図２１】本発明の実施例が具現される基地局及び端末のブロック図である。
【発明を実施するための形態】
【００３２】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進化である。
【００３３】
説明を明確にするために、ＬＴＥ−Ａを中心に記述するが、本発明の技術的思想がこれに制限されるものではない。
【００３４】
図１は、無線通信システムである。
【００３５】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられることができる。端末（Ｕｓｅｒ  Ｅｑｕｉｐｍｅｎｔ；ＵＥ）１２は、固定されたり、移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００３６】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００３７】
この技術は、ダウンリンク（ｄｏｗｎｌｉｎｋ）またはアップリンク（ｕｐｌｉｎｋ）に使われることができる。一般的に、ダウンリンクは基地局１１から端末１２への通信を意味し、アップリンクは端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００３８】
無線通信システムは、ＭＩＭＯ（Ｍｕｌｔｉｐｌｅ−Ｉｎｐｕｔ  Ｍｕｌｔｉｐｌｅ−Ｏｕｔｐｕｔ）システム、ＭＩＳＯ（Ｍｕｌｔｉｐｌｅ−Ｉｎｐｕｔ  Ｓｉｎｇｌｅ−Ｏｕｔｐｕｔ）システム、ＳＩＳＯ（Ｓｉｎｇｌｅ−Ｉｎｐｕｔ  Ｓｉｎｇｌｅ−Ｏｕｔｐｕｔ）システム、及びＳＩＭＯ（Ｓｉｎｇｌｅ−Ｉｎｐｕｔ  Ｍｕｌｔｉｐｌｅ−Ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下、送信アンテナは、一つの信号またはストリームの送信に使われる物理的または論理的アンテナを意味し、受信アンテナは、一つの信号またはストリームの受信に使われる物理的または論理的アンテナを意味する。
【００３９】
図２は、３ＧＰＰ  ＬＴＥにおける無線フレーム（ｒａｄｉｏ  ｆｒａｍｅ）の構造を示す。
【００４０】
これは３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の５節を参照することができる。図２を参照すると、無線フレームは１０個のサブフレーム（ｓｕｂｆｒａｍｅ）で構成され、一つのサブフレームは２個のスロット（ｓｌｏｔ）で構成される。無線フレーム内のスロットは、＃０から＃１９までのスロット番号が付けられる。一つのサブフレームの送信にかかる時間をＴＴＩ（Ｔｒａｎｓｍｉｓｓｉｏｎ  Ｔｉｍｅ  Ｉｎｔｅｒｖａｌ）という。ＴＴＩは、データ送信のためのスケジューリング単位を意味する。例えば、一つの無線フレームの長さは１０ｍｓであり、一つのサブフレームの長さは１ｍｓであり、一つのスロットの長さは０．５ｍｓである。
【００４１】
一つのスロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルということができる。リソースブロック（ＲＢ；Ｒｅｓｏｕｒｃｅ  Ｂｌｏｃｋ）は、リソース割当単位であり、一つのスロットで複数の連続する副搬送波を含む。前記無線フレームの構造は一例に過ぎない。従って、無線フレームに含まれるサブフレームの個数やサブフレームに含まれるスロットの個数、またはスロットに含まれるＯＦＤＭシンボルの個数は多様に変更されることができる。
【００４２】
３ＧＰＰ  ＬＴＥでは、ノーマル（ｎｏｒｍａｌ）サイクリックプレフィックス（ＣＰ；Ｃｙｃｌｉｃ  Ｐｒｅｆｉｘ）で一つのスロットは７個のＯＦＤＭシンボルを含み、拡張（ｅｘｔｅｎｄｅｄ）ＣＰで一つのスロットは６個のＯＦＤＭシンボルを含むと定義している。
【００４３】
無線通信システムは、大きく、ＦＤＤ（Ｆｒｅｑｕｅｎｃｙ  Ｄｉｖｉｓｉｏｎ  Ｄｕｐｌｅｘ）方式とＴＤＤ（Ｔｉｍｅ  Ｄｉｖｉｓｉｏｎ  Ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占め、互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。従って、ＴＤＤに基づく無線通信システムにおけるダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信と端末によるアップリンク送信が同時に実行されることができない。アップリンク送信とダウンリンク送信がサブフレーム単位に区分されるＴＤＤシステムで、アップリンク送信とダウンリンク送信は互いに異なるサブフレームで実行される。
【００４４】
図３は、一つのダウンリンクスロットに対するリソースグリッド（ｒｅｓｏｕｒｃｅ  ｇｒｉｄ）の一例を示す。
【００４５】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおけるＮＲＢは、６０〜１１０のうちいずれか一つである。一つのリソースブロックは、周波数領域で複数の副搬送波を含む。アップリンクスロットの構造も前記ダウンリンクスロットの構造と同様である。
【００４６】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は周波数領域内の副搬送波インデックスであり、ｌ（ｌ＝０，．．．，６）は時間領域内のＯＦＤＭシンボルインデックスである。
【００４７】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで副搬送波の数は、１２８、２５６、５１２、１０２４、１５３６、及び２０４８のうち一つを選定して使用することができる。
【００４８】
図４は、ダウンリンクサブフレームの構造を示す。
【００４９】
ダウンリンクサブフレームは時間領域で２個のスロットを含み、各スロットはノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は、制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００５０】
ＰＤＣＣＨは、ＤＬ−ＳＣＨ（Ｄｏｗｎｌｉｎｋ−Ｓｈａｒｅｄ  Ｃｈａｎｎｅｌ）のリソース割当及び送信フォーマット、ＵＬ−ＳＣＨ（Ｕｐｌｉｎｋ  Ｓｈａｒｅｄ  Ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で送信されることができ、端末は複数のＰＤＣＣＨをモニタリングすることができる。ＰＤＣＣＨは、一つまたは複数個の連続的なＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によってＰＤＣＣＨのフォーマット及び可能なＰＤＣＣＨのビット数が決定される。
【００５１】
基地局は、端末に送ろうとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）がマスキングされる。特定端末のためのＰＤＣＣＨの場合、端末の固有識別子、例えば、Ｃ−ＲＮＴＩ（Ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（Ｐａｇｉｎｇ−ＲＮＴＩ）がＣＲＣにマスキングされることができる。システム情報（ＳＩＢ；Ｓｙｓｔｅｍ  Ｉｎｆｏｒｍａｔｉｏｎ  Ｂｌｏｃｋ）のためのＰＤＣＣＨの場合、システム情報識別子、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するためにＲＡ−ＲＮＴＩ（Ｒａｎｄｏｍ  Ａｃｃｅｓｓ−ＲＮＴＩ）がＣＲＣにマスキングされることができる。
【００５２】
図５は、アップリンクサブフレームの構造を示す。
【００５３】
アップリンクサブフレームは、周波数領域で制御領域とデータ領域に分けられることができる。前記制御領域は、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。前記データ領域は、データが送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。上位階層で指示される場合、端末はＰＵＳＣＨとＰＵＣＣＨの同時送信をサポートすることができる。
【００５４】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピング（ｆｒｅｑｕｅｎｃｙ−ｈｏｐｐｅｄ）されたという。端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００５５】
ＰＵＣＣＨ上に送信されるアップリンク制御情報には、ＨＡＲＱ（Ｈｙｂｒｉｄ  Ａｕｔｏｍａｔｉｃ  Ｒｅｐｅａｔ  ｒｅＱｕｅｓｔ）ＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）、ダウンリンクチャネル状態を示すＣＱＩ（Ｃｈａｎｎｅｌ  Ｑｕａｌｉｔｙ  Ｉｎｄｉｃａｔｏｒ）、アップリンク無線リソース割当要求であるＳＲ（Ｓｃｈｅｄｕｌｉｎｇ  Ｒｅｑｕｅｓｔ）などがある。
【００５６】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（Ｐｒｅｃｏｄｉｎｇ  Ｍａｔｒｉｘ  Ｉｎｄｉｃａｔｏｒ）、ＨＡＲＱ、ＲＩ（Ｒａｎｋ  Ｉｎｄｉｃａｔｏｒ）などがある。または、アップリンクデータは制御情報のみで構成されることもできる。
【００５７】
３ＧＰＰ  ＬＴＥ−Ａは、搬送波集合（ｃａｒｒｉｅｒ  ａｇｇｒｅｇａｔｉｏｎ）システムをサポートする。搬送波集合システムは、３ＧＰＰ  ＴＲ  ３６．８１５  Ｖ９．０．０（２０１０−３）を参照することができる。
【００５８】
搬送波集合システムは、無線通信システムが広帯域をサポートしようとする時、目標にする広帯域より小さい帯域幅を有する１個以上の搬送波を集めて広帯域を構成するシステムを意味する。搬送波集合システムは、帯域幅集合（ｂａｎｄｗｉｄｔｈ  ａｇｇｒｅｇａｔｉｏｎ）システムなど、他の名称で呼ばれることもある。搬送波集合システムは、各搬送波が連続する連続（ｃｏｎｔｉｇｕｏｕｓ）搬送波集合システムと各搬送波が互いに離れている不連続（ｎｏｎ−ｃｏｎｔｉｇｕｏｕｓ）搬送波集合システムとに区分されることができる。連続搬送波集合システムにおいて、各搬送波間に周波数間隔（ｆｒｅｑｕｅｎｃｙ  ｓｐａｃｉｎｇ）が存在することができる。１個以上の搬送波を集める時、対象となる搬送波は、既存システムとの後方互換性（ｂａｃｋｗａｒｄ  ｃｏｍｐａｔｉｂｉｌｉｔｙ）のために、既存システムで使用する帯域幅をそのまま使用することができる。例えば、３ＧＰＰ  ＬＴＥでは、１．４ＭＨｚ、３ＭＨｚ、５ＭＨｚ、１０ＭＨｚ、１５ＭＨｚ、及び２０ＭＨｚの帯域幅をサポートし、３ＧＰＰ  ＬＴＥ−Ａでは、前記３ＧＰＰ  ＬＴＥシステムの帯域幅のみを用いて２０ＭＨｚ以上の広帯域を構成することができる。または、既存システムの帯域幅をそのまま使用せずに新たな帯域幅を定義して広帯域を構成することもできる。
【００５９】
搬送波集合システムにおける端末は、容量に応じて一つまたは複数の搬送波を同時に送信または受信することができる。ＬＴＥ−Ａ端末は、複数の搬送波を同時に送信または受信することができる。ＬＴＥ  ｒｅｌ−８端末は、搬送波集合システムを構成する各搬送波がＬＴＥ  ｒｅｌ−８システムと互換される時、一つの搬送波のみを送信または受信することができる。従って、少なくともアップリンクとダウンリンクで使われる搬送波の個数が同じ場合、全てのコンポーネント搬送波がＬＴＥ  ｒｅｌ−８と互換されるように構成される必要がある。
【００６０】
複数の搬送波を効率的に使用するために、複数の搬送波をＭＡＣ（Ｍｅｄｉａ  Ａｃｃｅｓｓ  Ｃｏｎｔｒｏｌ）で管理することができる。複数の搬送波を送／受信するために送信機及び受信機の両方とも複数の搬送波を送／受信可能でなければならない。
【００６１】
図６は、搬送波集合システムを構成する送信機と受信機の一例である。  
【００６２】
図６−（ａ）の送信機では、一つのＭＡＣがｎ個の搬送波を全部管理及び運営してデータを送受信する。これは図６−（ｂ）の受信機でも同様である。受信機の立場で、コンポーネント搬送波当たり一つのトランスポートブロック（ｔｒａｎｓｐｏｒｔ  ｂｌｏｃｋ）と一つのＨＡＲＱエンティティ（ｅｎｔｉｔｙ）が存在することができる。端末は、複数の搬送波に対して同時にスケジューリングされることができる。図６の搬送波集合システムは、連続搬送波集合システムまたは不連続搬送波集合システムの両方ともに適用されることができる。一つのＭＡＣで管理する各々の搬送波は、互いに隣接する必要がなく、従って、リソース管理側面で柔軟であるという長所がある。
【００６３】
図７及び図８は、搬送波集合システムを構成する送信機と受信機の他の例である。
【００６４】
図７−（ａ）の送信機及び図７−（ｂ）の受信機では、一つのＭＡＣが一つの搬送波のみを管理する。即ち、ＭＡＣと搬送波が１対１に対応される。図８−（ａ）の送信機及び図８−（ｂ）の受信機では、一部搬送波に対してはＭＡＣと搬送波が１対１に対応され、残りの搬送波に対しては一つのＭＡＣが複数の搬送波を制御する。即ち、ＭＡＣと搬送波の対応関係によって多様な組合せが可能である。
【００６５】
図６乃至図８の搬送波集合システムは、ｎ個の搬送波を含み、各搬送波は、互いに隣接してもよく、離れていてもよい。搬送波集合システムは、アップリンクまたはダウンリンクの両方ともに適用されることができる。ＴＤＤシステムでは、各々の搬送波がアップリンク送信とダウンリンク送信を実行することができるように構成され、ＦＤＤシステムでは、複数の搬送波をアップリンク用とダウンリンク用とに区分して使用することができる。一般的なＴＤＤシステムにおいて、アップリンクとダウンリンクで使われるコンポーネント搬送波の個数と各搬送波の帯域幅は同じである。ＦＤＤシステムでは、アップリンクとダウンリンクで使用する搬送波の数と帯域幅を各々異なるようにすることによって非対称（ａｓｙｍｍｅｔｒｉｃ）搬送波集合システムを構成するのも可能である。
【００６６】
図９は、非対称搬送波集合システムの一例を示す。
【００６７】
図９−（ａ）は、ダウンリンクコンポーネント搬送波（ＣＣ；Ｃｏｍｐｏｎｅｎｔ  Ｃａｒｒｉｅｒ）の個数がアップリンクＣＣの個数より多い搬送波集合システムの一例である。ダウンリンクＣＣ＃１及び＃２はアップリンクＣＣ＃１に対応され、ダウンリンクＣＣ＃３及び＃４はアップリンクＣＣ＃２に対応される。図９−（ｂ）は、ダウンリンクＣＣの個数がアップリンクＣＣの個数より少ない搬送波集合システムの一例である。ダウンリンクＣＣ＃１はアップリンクＣＣ＃１及び＃２に対応され、ダウンリンクＣＣ＃２はアップリンクＣＣ＃３及び＃４に対応される。一方、端末の立場でスケジューリングされたコンポーネント搬送波別に一つのトランスポートブロック（ｔｒａｎｓｐｏｒｔ  ｂｌｏｃｋ）と一つのＨＡＲＱ（Ｈｙｂｒｉｄ  Ａｕｔｏｍａｔｉｃ  Ｒｅｐｅａｔ  ｒｅｑｕｅｓｔ）エンティティ（ｅｎｔｉｔｙ）が存在する。各トランスポートブロックは、一つのコンポーネント搬送波にのみマッピングされる。端末は、複数のコンポーネント搬送波に同時にマッピングされることができる。
【００６８】
ＬＴＥ−Ａシステムで、後方互換性を維持する搬送波（ｂａｃｋｗａｒｄ  ｃｏｍｐａｔｉｂｌｅ  ｃａｒｒｉｅｒ）及び後方互換性を維持しない搬送波（ｎｏｎ−ｂａｃｋｗａｒｄ  ｃｏｍｐａｔｉｂｌｅ  ｃａｒｒｉｅｒ）が存在することができる。後方互換性搬送波は、ＬＴＥ  ｒｅｌ−８、ＬＴＥ−Ａなどを含む全てのＬＴＥ  ｒｅｌｅａｓｅの端末に接続可能な搬送波である。後方互換性搬送波は、単一搬送波で動作したり、または搬送波集合システムでのコンポーネント搬送波で動作可能である。後方互換性搬送波は、ＦＤＤシステムで常にダウンリンクとアップリンクとの対（ｐａｉｒ）で構成されることができる。一方、非後方互換性搬送波は、以前ＬＴＥ  ｒｅｌｅａｓｅの端末には接続することができず、該当搬送波を定義するＬＴＥ  ｒｅｌｅａｓｅの端末にのみ接続することができる。また、非後方互換性搬送波は、単一搬送波で動作したり、または搬送波集合システムでのコンポーネント搬送波で動作可能である。一方、単一搬送波で動作することができず、単一搬送波で動作することができる少なくとも一つの搬送波を含む搬送波集合内の搬送波を拡張搬送波（ｅｘｔｅｎｓｉｏｎ  ｃａｒｒｉｅｒ）ということができる。
【００６９】
また、搬送波集合システムで、一つ以上の搬送波を使用する形態として、任意のセルまたは基地局により運営されるセル特定（ｃｅｌｌ−ｓｐｅｃｉｆｉｃ）搬送波集合システムと端末により運営される端末特定（ＵＥ−ｓｐｅｃｉｆｉｃ）の２つの形態がある。セルが一つの後方互換性搬送波または一つの非後方互換性搬送波を意味する場合、セル特定という用語は、セルで表現される一つの搬送波を含む一つ以上の搬送波を対象に使われることができる。また、ＦＤＤシステムで、搬送波集合システムの形態は、ＬＴＥ  ｒｅｌ−８またはＬＴＥ−Ａで定義する基本送信−受信（ｄｅｆａｕｌｔ  Ｔｘ−Ｒｘ）分離（ｓｅｐａｒａｔｉｏｎ）によってダウンリンクとアップリンクとの連結（ｌｉｎｋａｇｅ）が決定されることができる。
【００７０】
例えば、ＬＴＥ  ｒｅｌ−８で、基本送信−受信分離は、次の通りである。アップリンクとダウンリンクにおける搬送波周波数は、Ｅ−ＵＴＲＡ絶対無線周波数チャネル番号（ＥＡＲＦＣＮ；Ｅ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）により０〜６５５３５の範囲で割り当てられることができる。ダウンリンクで、ＥＡＲＦＣＮとＭＨｚ単位の搬送波周波数との関係は、ＦＤＬ＝ＦＤＬ＿ｌｏｗ＋０．１（ＮＤＬ−ＮＯｆｆｓ−ＤＬ）で表すことができ、アップリンクで、ＥＡＲＦＣＮとＭＨｚ単位の搬送波周波数との関係は、ＦＵＬ＝ＦＵＬ＿ｌｏｗ＋０．１（ＮＵＬ−ＮＯｆｆｓ−ＵＬ）で表すことができる。ＮＤＬはダウンリンクＥＡＲＦＣＮであり、ＮＵＬはアップリンクＥＡＲＦＣＮである。ＦＤＬ−ｌｏｗ、ＮＯｆｆｓ−ＤＬ、ＦＵＬ−ｌｏｗ、ＮＯｆｆｓ−ＵＬは、表１により決定されることができる。
【００７１】
【表１−１】
0005503752.tif 000008
【００７２】
【表１−２】
0005503752.tif 000009
基本Ｅ−ＴＵＲＡトランスポートチャネル（Ｔｘ  ｃｈａｎｎｅｌ）と受信チャネル（Ｒｘ  ｃｈａｎｎｅｌ）の分離は、表２により決定されることができる。
【００７３】
【表２】
0005503752.tif 000010
以下、アップリンク参照信号に対して説明する。
【００７４】
参照信号は一般的にシーケンスで送信される。参照信号シーケンスは、特別な制限無しに任意のシーケンスが使われることができる。参照信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。または、参照信号シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を用いることができる。
【００７５】
アップリンク参照信号は、復調参照信号（ＤＭＲＳ；Ｄｅｍｏｄｕｌａｔｉｏｎ  Ｒｅｆｅｒｅｎｃｅ  Ｓｉｇｎａｌ）とサウンディング参照信号（ＳＲＳ；Ｓｏｕｎｄｉｎｇ  Ｒｅｆｅｒｅｎｃｅ  Ｓｉｇｎａｌ）とに区分されることができる。ＤＭＲＳは、受信された信号の復調のためのチャネル推定に使われる参照信号である。ＤＭＲＳは、ＰＵＳＣＨまたはＰＵＣＣＨの送信と結合されることができる。ＳＲＳは、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに用いる。ＳＲＳは、ＰＵＳＣＨまたはＰＵＣＣＨの送信と結合されない。ＤＭＲＳとＳＲＳのために同じ種類の基本シーケンスが使われることができる。一方、アップリンク多重アンテナ送信でＤＭＲＳに適用されたプリコーディングは、ＰＵＳＣＨに適用されたプリコーディングと同様である。循環シフト分離（ｃｙｃｌｉｃ  ｓｈｉｆｔ  ｓｅｐａｒａｔｉｏｎ）は、ＤＭＲＳを多重化する基本技法（ｐｒｉｍａｒｙ  ｓｃｈｅｍｅ）である。ＬＴＥ−ＡシステムにおけるＳＲＳは、プリコーディングされなくてもよく、アンテナ特定された参照信号であってもよい。
【００７６】
ＳＲＳは、端末や中継局が基地局に送信する参照信号であり、アップリンクデータや制御信号送信と関連されない参照信号である。ＳＲＳは、一般的にアップリンクで周波数選択的スケジューリングのためのチャネル品質推定のために使われるが、他の用途で使われることもできる。例えば、パワー制御や最初ＭＣＳ選択、データ送信のための最初パワー制御などにも使われることができる。ＳＲＳは、一般的に一つのサブフレームの最後のＳＣ−ＦＤＭＡシンボルで送信される。
【００７７】
ＳＲＳの送信のための端末での動作は、次の通りである。セル特定ＳＲＳ送信帯域幅であるＣＳＲＳは上位階層により与えられることができ、セル特定ＳＲＳ送信サブフレームも上位階層により与えられることができる。端末が送信アンテナ選択可能の時、ｎＳＲＳ時間にＳＲＳを送信する端末アンテナのインデックスａ（ｎＳＲＳ）は、周波数ホッピングが可能でない場合には、全サウンディング帯域幅または部分サウンディング帯域幅に対してａ（ｎＳＲＳ）＝ｎＳＲＳ    ｍｏｄ２として与えられ、周波数ホッピングが可能な場合には、数式２により与えられることができる。
【００７８】
【数２】
0005503752.tif 000011
数式２で、ＢＳＲＳはＳＲＳ帯域幅を示し、ｂｈｏｐは周波数ホッピング帯域幅を示す。ＮｂはＣＳＲＳとＢＳＲＳにより予め決定された表により決定されることができる。
【００７９】
【化６】
0005503752.tif 000012
である。
【００８０】
数式２で、βは、数式３により決定されることができる。
【００８１】
【数３】
0005503752.tif 000013
ＴＤＤシステムで、ＵｐＰＴＳ（Ｕｐｌｉｎｋ  Ｐｉｌｏｔ  Ｔｉｍｅ  Ｓｌｏｔ）内に一つのＳＣ−ＦＤＭＡシンボルが存在する場合、該当ＳＣ−ＦＤＭＡシンボルは、ＳＲＳ送信のために使われることができる。ＵｐＰＴＳ内に２個のＳＣ−ＦＤＭＡシンボルが存在する場合、２個の該当ＳＣ−ＦＤＭＡシンボルは、ＳＲＳ送信のために使われることができ、一つの端末に同時に割り当てられることもできる。
【００８２】
端末は、ＳＲＳの送信とＰＵＣＣＨフォーマット２／２ａ／２ｂの送信が同じサブフレームで同時に発生する場合、いつもＳＲＳを送信しない。
【００８３】
端末は、ａｃｋＮａｃｋＳＲＳ−ＳｉｍｕｌｔａｎｅｏｕｓＴｒａｎｓｍｉｓｓｉｏｎパラメータがフォールス（ｆａｌｓｅ）である場合、ＳＲＳ送信とＡＣＫ／ＮＡＣＫ及び／または肯定（ｐｏｓｉｔｉｖｅ）ＳＲを運ぶＰＵＣＣＨの送信が同じサブフレームで実行されると、いつもＳＲＳを送信しない。また、端末は、ａｃｋＮａｃｋＳＲＳ−ＳｉｍｕｌｔａｎｅｏｕｓＴｒａｎｓｍｉｓｓｉｏｎパラメータがトルー（ｔｒｕｅ）である場合、ＳＲＳ送信とＡＣＫ／ＮＡＣＫ及び／または肯定ＳＲを運ぶＰＵＣＣＨの送信が同じサブフレームで構成されると、縮小された（ｓｈｏｒｔｅｎｅｄ）ＰＵＣＣＨフォーマットを使用し、ＡＣＫ／ＮＡＣＫ及び／または肯定ＳＲを運ぶＰＵＣＣＨとＳＲＳを同時に送信する。即ち、セル特定するように設定されるＳＲＳサブフレーム内にＡＣＫ／ＮＡＣＫ及び／または肯定ＳＲを運ぶＰＵＣＣＨが構成される場合には、縮小された（ｓｈｏｒｔｅｎｅｄ）ＰＵＣＣＨフォーマットを使用し、ＡＣＫ／ＮＡＣＫ及び／または肯定ＳＲを運ぶＰＵＣＣＨとＳＲＳを同時に送信する。
【００８４】
ＳＲＳ送信がプリアンブル（ｐｒｅａｍｂｌｅ）フォーマット４のためのＰＲＡＣＨ（Ｐｈｙｓｉｃａｌ  Ｒａｎｄｏｍ  Ａｃｃｅｓｓ  Ｃｈａｎｎｅｌ）領域と重なる場合、或いはセルで構成されたアップリンクシステム帯域幅の範囲を超過する場合、端末はＳＲＳを送信しない。
【００８５】
上位階層により与えられるパラメータであるａｃｋＮａｃｋＳＲＳ−ＳｉｍｕｌｔａｎｅｏｕｓＴｒａｎｓｍｉｓｓｉｏｎは、端末がＡＣＫ／ＮＡＣＫを運ぶＰＵＣＣＨとＳＲＳを一つのサブフレームで同時に送信することをサポートするか否かを決定する。もし、端末がＡＣＫ／ＮＡＣＫを運ぶＰＵＣＣＨとＳＲＳを一つのサブフレームで同時に送信することと構成されると、端末はセル特定ＳＲＳサブフレームでＡＣＫ／ＮＡＣＫとＳＲＳを送信することができる。この時、縮小された（ｓｈｏｒｔｅｎｅｄ）ＰＵＣＣＨフォーマットが使われることができ、ＳＲＳが送信される位置に対応されるＡＣＫ／ＮＡＣＫまたはＳＲの送信は省略される（ｐｕｎｃｔｕｒｅｄ）。縮小されたＰＵＣＣＨフォーマットは、端末が該当サブフレームでＳＲＳが送信されない場合にもセル特定ＳＲＳサブフレームで使われる。もし、端末がＡＣＫ／ＮＡＣＫを運ぶＰＵＣＣＨとＳＲＳを一つのサブフレームで同時に送信しないことと構成されると、端末はＡＣＫ／ＮＡＣＫ及びＳＲの送信のために一般的なＰＵＣＣＨフォーマット１／１ａ／１ｂを使用することができる。
【００８６】
表３及び表４は、ＳＲＳ送信周期であるＴＳＲＳとＳＲＳサブフレームオフセットであるＴｏｆｆｓｅｔを指示する端末特定ＳＲＳ構成の一例である。ＳＲＳ送信周期ＴＳＲＳは、｛２，５，１０，２０，４０，８０，１６０，３２０｝ｍｓのうちいずれか一つに決定されることができる。
【００８７】
表３は、ＦＤＤシステムでのＳＲＳ構成の一例である。
【００８８】
【表３】
0005503752.tif 000014
表４は、ＴＤＤシステムでのＳＲＳ構成の一例である。
【００８９】
【表４】
0005503752.tif 000015
ＴＤＤシステムでＴＳＲＳ＞２である場合とＦＤＤシステムでＳＲＳサブフレームは（１０＊ｎｆ＋ｋＳＲＳ−Ｔｏｆｆｓｅｔ）ｍｏｄ  ＴＳＲＳ＝０を満たす。ｎｆはフレームインデックスを示し、ｋＳＲＳはＦＤＤシステムではフレーム内でのサブフレームインデックスを示す。ＴＤＤシステムでＴＳＲＳ＝２である場合、２個のＳＲＳリソースが少なくとも一つのアップリンクサブフレームを含む半フレーム内に構成されることができ、ＳＲＳサブフレームは（ｋＳＲＳ−Ｔｏｆｆｓｅｔ）ｍｏｄ５＝０を満たす。
【００９０】
ＴＤＤシステムにおけるｋＳＲＳは、表５により決定されることができる。
【００９１】
【表５】
0005503752.tif 000016
一方、端末は、ＳＲＳの送信と任意接続応答グラント（Ｒａｎｄｏｍ  Ａｃｃｅｓｓ  Ｒｅｓｐｏｎｓｅ  Ｇｒａｎｔ）またはコンテンションベースの任意接続手順の一部として同じトランスポートブロック（ｔｒａｎｓｐｏｒｔ  ｂｌｏｃｋ）の再送信に対応されるＰＵＳＣＨの送信が同じサブフレーム内で実行される場合、いつもＳＲＳを送信しない。
【００９２】
以下、ＰＵＳＣＨ送信に対するチャネルコーディング（ｃｈａｎｎｅｌ  ｃｏｄｉｎｇ）に対して説明する。
【００９３】
図１０は、ＵＬ−ＳＣＨ（Ｕｐｌｉｎｋ  Ｓｈａｒｅｄ  Ｃｈａｎｎｅｌ）トランスポートチャネル（ｔｒａｎｓｐｏｒｔ  ｃｈａｎｎｅｌ）の処理過程の一例である。データは、送信時間区間（ＴＴＩ；Ｔｒａｎｓｍｉｔ  Ｔｉｍｅ  Ｉｎｔｅｒｖａｌ）毎に最大一つのトランスポートブロック（ｔｒａｎｓｐｏｒｔ  ｂｌｏｃｋ）の形態にコーディングユニット（ｃｏｄｉｎｇ  ｕｎｉｔ）に到達する。
【００９４】
図１０を参照すると、ステップＳ１００で、トランスポートブロックにＣＲＣ（Ｃｙｃｌｉｃ  Ｒｅｄｕｎｄａｎｃｙ  Ｃｈｅｃｋ）が追加される。ＣＲＣが追加されることでＵＬ−ＳＣＨトランスポートブロックに対するエラー検出（ｅｒｒｏｒ  ｄｅｔｅｃｔｉｏｎ）がサポートされることができる。全てのトランスポートブロックがＣＲＣパリティビット（ｐａｒｉｔｙ  ｂｉｔ）を計算するために使われることができる。レイヤ１（ｌａｙｅｒ  １）に伝達されるトランスポートブロック内のビットはａ０，．．．，ａＡ−１であり、パリティビットはｐ０，．．．，ｐＬ−１で表現することができる。トランスポートブロックの大きさはＡであり、パリティビットの大きさはＬである。最も小さい次数（ｏｒｄｅｒ）の情報ビットであるａ０は、トランスポートブロックのＭＳＢ（Ｍｏｓｔ  Ｓｉｇｎｉｆｉｃａｎｔ  Ｂｉｔ）にマッピングされることができる。
【００９５】
ステップＳ１１０で、ＣＲＣが追加されたトランスポートブロックが複数のコードブロックに分割（ｓｅｇｍｅｎｔａｔｉｏｎ）され、各コードブロックにＣＲＣが追加される。コードブロックに分割される以前のビットはｂ０，．．．，ｂＢ−１で表現することができ、ＢはＣＲＣを含むトランスポートブロック内のビットの個数である。コードブロック分割以後のビットはｃｒ０，．．．，ｃｒ（Ｋｒ−１）で表現することができ、ｒはコードブロック番号、Ｋｒはコードブロック番号ｒのビットの個数である。
【００９６】
ステップＳ１２０で、各コードブロックに対してチャネルコーディングが実行される。総コードブロックの個数はＣであり、各コードブロックに対して個別的にターボコーディング（ｔｕｒｂｏ  ｃｏｄｉｎｇ）方式にチャネルコーディングが実行されることができる。チャネルコーディングされたビットはｄｒ０（ｉ），．．．，ｄｒ（Ｄｒ−１）（ｉ）で表現することができ、Ｄｒはコードブロック番号ｒのｉ番目のコーディングされたストリームのビットの個数である。Ｄｒ＝Ｋｒ＋４であり、ｉはコーディングされたストリームインデックスであり、０、１または２のうちいずれか一つである。
【００９７】
ステップＳ１３０で、チャネルコーディングが実行された各コードブロックに対してレートマッチング（ｒａｔｅ  ｍａｔｃｈｉｎｇ）が実行される。各コードブロック単位に個別的にレートマッチングが実行されることができる。レートマッチングが実行された以後のビットはｅｒ０，．．．，ｅｒ（Ｅｒ−１）で表現することができ、ｒはコードブロック番号であり、Ｅｒはコードブロック番号ｒのレートマッチングされたビットの個数である。
【００９８】
ステップＳ１４０で、レートマッチングが実行された各コードブロックが連結（ｃｏｎｃａｔｅｎａｔｉｏｎ）される。各コードブロックが連結された後のビットはｆ０，．．．，ｆＧ−１で表現することができ、Ｇは制御情報送信に使われるビットを除くコーディングされた送信ビットの総個数である。この時、制御情報はＵＬ−ＳＣＨ送信と多重化（ｍｕｌｔｉｐｌｅｘｉｎｇ）されることができる。
【００９９】
ステップＳ１４１乃至ステップＳ１４３で、制御情報に対してチャネルコーディングが実行される。制御情報は、ＣＱＩ（Ｃｈａｎｎｅｌ  Ｑｕａｌｉｔｙ  Ｉｎｆｏｒｍａｔｉｏｎ）及び／またはＰＭＩ（Ｐｒｅｃｏｄｉｎｇ  Ｍａｔｒｉｘ  Ｉｎｄｉｃａｔｏｒ）を含むチャネル品質情報、ＨＡＲＱ（Ｈｙｂｒｉｄ  Ａｕｔｏｍａｔｉｃ  Ｒｅｐｅａｔ  ｒｅｑｕｅｓｔ）−ＡＣＫ（Ａｃｋｎｏｗｌｅｄｇｅｍｅｎｔ）及びＲＩ（Ｒａｎｋ  Ｉｎｄｉｃａｔｏｒ）などを含むことができる。以下、ＣＱＩはＰＭＩを含むと仮定する。各制御情報に対して互いに異なるコーディングシンボルの個数によって互いに異なるコーディング率が適用される。制御情報がＰＵＳＣＨに送信される時、ＣＱＩ、ＲＩ、及びＨＡＲＱ−ＡＣＫに対するチャネルコーディングは、独立的に実行される。本実施例では、ステップＳ１４１でＣＱＩ、ステップＳ１４２でＲＩ、ステップＳ１４３でＨＡＲＱ−ＡＣＫがチャネルコーディングされると仮定するが、これに制限されるものではない。
【０１００】
ＴＤＤシステムで、上位階層によりＨＡＲＱ−ＡＣＫバンドリング（ｂｕｎｄｌｉｎｇ）及びＨＡＲＱ−ＡＣＫ多重化（ｍｕｌｔｉｐｌｅｘｉｎｇ）の２つのＨＡＲＱ−ＡＣＫフィードバックモードがサポートされることができる。ＴＤＤ  ＨＡＲＱ−ＡＣＫバンドリングモードで、ＨＡＲＱ−ＡＣＫは１個または２個の情報ビットを含む。ＴＤＤ  ＨＡＲＱ−ＡＣＫ多重化モードで、ＨＡＲＱ−ＡＣＫは１個乃至４個の情報ビットを含む。
【０１０１】
端末がＨＡＲＱ−ＡＣＫビットまたはＲＩビットを送信する場合、コーディングされたシンボルの個数Ｑ′は、数式４により決定されることができる。
【０１０２】
【数４】
0005503752.tif 000017
数式４で、ＯはＨＡＲＱ−ＡＣＫビットまたはＲＩビットの個数、ＭｓｃＰＵＳＣＨはトランスポートブロックの現在サブフレームでＰＵＳＣＨ送信のためのスケジューリングされた帯域幅を副搬送波の個数で表現したものである。ＮｓｙｍｂＰＵＳＣＨ−ｉｎｉｔｉａｌは同じトランスポートブロックで初期ＰＵＳＣＨ送信のためのサブフレーム当たりＳＣ−ＦＤＭＡシンボルの個数であり、ＮｓｙｍｂＰＵＳＣＨ−ｉｎｉｔｉａｌ＝（２＊（ＮｓｙｍｂＵＬ−１）−ＮＳＲＳ）に決定されることができる。端末が初期送信のためにＰＵＳＣＨとＳＲＳを同じサブフレームで送信することと構成されたり、初期送信のためのＰＵＳＣＨリソース割当がセル特定ＳＲＳサブフレーム及びＳＲＳ送信のために割り当てられた帯域幅と部分的に重なる場合にはＮＳＲＳ＝１であり、残りの場合にはＮＳＲＳ＝０である。ＭｓｃＰＵＳＣＨ−ｉｎｉｔｉａｌ、Ｃ、及びＫｒは同じトランスポートブロックのための初期ＰＤＣＣＨから得ることができる。同じトランスポートブロックのための初期ＰＤＣＣＨ内のＤＣＩフォーマット０が存在しない場合、ＭｓｃＰＵＳＣＨ−ｉｎｉｔｉａｌ、Ｃ、及びＫｒは同じトランスポートブロックのための初期ＰＵＳＣＨが半永久的（ｓｅｍｉ−ｐｅｒｓｉｓｔｅｎｔ）にスケジューリングされた時には最も最近半永久的（ｓｅｍｉ−ｐｅｒｓｉｓｔｅｎｔ）に割り当てられたＰＤＣＣＨから、ＰＵＳＣＨが任意接続応答グラントから初期化された時には同じトランスポートブロックのための任意接続応答グラントから得ることができる。
【０１０３】
ＨＡＲＱ−ＡＣＫ送信で、ＱＡＣＫ＝Ｑｍ＊Ｑ′、βｏｆｆｓｅｔＰＵＳＣＨ＝βｏｆｆｓｅｔＨＡＲＱ−ＡＣＫである。また、ＲＩ送信で、ＱＲＩ＝Ｑｍ＊Ｑ′、βｏｆｆｓｅｔＰＵＳＣＨ＝βｏｆｆｓｅｔＲＩである。
【０１０４】
ＨＡＲＱ−ＡＣＫ送信で、ＡＣＫは二進数のうち‘１’でエンコーディングされ、ＮＡＣＫは二進数のうち‘０’でエンコーディングされることができる。ＨＡＲＱ−ＡＣＫが１ビット情報を含む［ｏ０ＡＣＫ］である場合、表６によってエンコーディングされることができる。
【０１０５】
【表６】
0005503752.tif 000018
ＨＡＲＱ−ＡＣＫが２ビット情報を含む［ｏ０ＡＣＫｏ１ＡＣＫ］である場合、表７によってエンコーディングされることができる。表７で、ｏ２ＡＣＫ＝（ｏ０ＡＣＫ＋ｏ１ＡＣＫ）ｍｏｄ２である。
【０１０６】
【表７】
0005503752.tif 000019
表６及び表７で、ｘ及びｙは、ＨＡＲＱ−ＡＣＫ情報を運ぶ変調シンボル（ｍｏｄｕｌａｔｉｏｎ  ｓｙｍｂｏｌ）のユークリッド距離（Ｅｕｃｌｉｄｅａｎ  ｄｉｓｔａｎｃｅ）を最大化するための方法としてＨＡＲＱ−ＡＣＫビットをスクランブリング（ｓｃｒａｍｂｌｉｎｇ）するためのプレースホルダ（ｐｌａｃｅ  ｈｏｌｄｅｒ）を示す。
【０１０７】
ＨＡＲＱ−ＡＣＫが一つまたは２個の情報ビットを含む時、ＦＤＤまたはＴＤＤ  ＨＡＲＱ−ＡＣＫ多重化モードの場合、ビットシーケンスｑ０ＡＣＫ，．．．，ｑＱＡＣＫ−１ＡＣＫは、複数のエンコーディングされたＨＡＲＱ−ＡＣＫブロックを連結して得ることができる。この時、ＱＡＣＫは、全てのエンコーディングされたＨＡＲＱ−ＡＣＫブロック内のエンコーディングされたビットの総個数である。最後のＨＡＲＱ−ＡＣＫブロックの連結は、ビットシーケンスの総長さをＱＡＣＫに一致させるために部分的に実行されることができる。
【０１０８】
ＴＤＤ  ＨＡＲＱ−ＡＣＫバンドリングモードの場合、ビットシーケンス
【０１０９】
【化７】
0005503752.tif 000020
は、複数のエンコーディングされたＨＡＲＱ−ＡＣＫブロックを連結して得ることができる。この時、ＱＡＣＫは、全てのエンコーディングされたＨＡＲＱ−ＡＣＫブロック内のエンコーディングされたビットの総個数である。最後のＨＡＲＱ−ＡＣＫブロックの連結は、ビットシーケンスの総長さをＱＡＣＫに一致させるために部分的に実行されることができる。スクランブリングシーケンス［ｗ０ＡＣＫｗ１ＡＣＫｗ２ＡＣＫｗ３ＡＣＫ］は、表８により決定されることができる。
【０１１０】
【表８】
0005503752.tif 000021
ＨＡＲＱ−ＡＣＫが２個以上の情報ビットを含む［ｏ０ＡＣＫｏＯＡＣＫ−１ＡＣＫ］である場合、（ＯＡＣＫ＞２）、ビットシーケンスｑ０ＡＣＫ，．．．，ｑＱＡＣＫ−１ＡＣＫは、数式５により得ることができる。
【０１１１】
【数５】
0005503752.tif 000022
数式５で、ｉ＝０，．．．，ＱＡＣＫ−１である。
【０１１２】
ＲＩ送信で、ＰＤＳＣＨ送信に対応されるＲＩフィードバックのビット大きさは、基地局及び端末のアンテナ構成による最大レイヤの個数を仮定して決定されることができる。ＲＩが１ビット情報を含む［ｏ０ＲＩ］である場合、表９によってエンコーディングされることができる。
【０１１３】
【表９】
0005503752.tif 000023
表９で、［ｏ０ＲＩ］とＲＩのマッピングは、表１０により与えられることができる。
【０１１４】
【表１０】
0005503752.tif 000024
ＲＩが２ビット情報を含む［ｏ０ＲＩｏ１ＲＩ］であり、ｏ０ＲＩが２ビット情報のうちＭＳＢに対応され、ｏ１ＲＩが２ビット情報のうちＬＳＢ（Ｌｅａｓｔ  Ｓｉｇｎｉｆｉｃａｎｔ  Ｂｉｔ）に対応される場合、ＲＩは、表１１によってエンコーディングされることができる。表１１で、ｏ２ＲＩ＝（ｏ０ＲＩ＋ｏ１ＲＩ）ｍｏｄ２である。
【０１１５】
【表１１】
0005503752.tif 000025
表１１で、［ｏ０ＲＩｏ１ＲＩ］とＲＩのマッピングは、表１２により与えられることができる。
【０１１６】
【表１２】
0005503752.tif 000026
表６及び表７で、ｘ及びｙは、ＲＩ情報を運ぶ変調シンボルのユークリッド距離を最大化するための方法としてＲＩビットをスクランブリングするためのプレースホルダを示す。
【０１１７】
ビットシーケンスｑ０ＲＩ，．．．，ｑＱＲＩ−１ＲＩは、複数のエンコーディングされたＲＩブロックを連結して得ることができる。この時、ＱＲＩは、全てのエンコーディングされたＲＩブロック内のエンコーディングされたビットの総個数である。最後のＲＩブロックの連結は、ビットシーケンスの総長さをＱＲＩに一致させるために部分的に実行されることができる。
【０１１８】
端末がＣＱＩビットを送信する場合、コーディングされたシンボルの個数Ｑ′は、数式６により決定されることができる。
【０１１９】
【数６】
0005503752.tif 000027
数式６で、ＯはＣＱＩビットの個数であり、ＬはＯ≦１１の時０、そうでない時８として与えられるＣＲＣビットの個数である。また、ＱＣＱＩ＝Ｑｍ＊Ｑ′、βｏｆｆｓｅｔＰＵＳＣＨ＝βｏｆｆｓｅｔＣＱＩである。ＲＩが送信されない場合、ＱＲＩ＝０である。ＭｓｃＰＵＳＣＨ−ｉｎｉｔｉａｌ、Ｃ、及びＫｒは、同じトランスポートブロックのための初期ＰＤＣＣＨから得ることができる。同じトランスポートブロックのための初期ＰＤＣＣＨ内のＤＣＩフォーマット０が存在しない場合、ＭｓｃＰＵＳＣＨ−ｉｎｉｔｉａｌ、Ｃ、及びＫｒは、同じトランスポートブロックのための初期ＰＵＳＣＨが半永久的（ｓｅｍｉ−ｐｅｒｓｉｓｔｅｎｔ）にスケジューリングされた時には最も最近半永久的（ｓｅｍｉ−ｐｅｒｓｉｓｔｅｎｔ）に割り当てられたＰＤＣＣＨから、ＰＵＳＣＨが任意接続応答グラントから初期化された時には同じトランスポートブロックのための任意接続応答グラントから得ることができる。ＮｓｙｍｂＰＵＳＣＨ−ｉｎｉｔｉａｌは、同じトランスポートブロックで初期ＰＵＳＣＨ送信のためのサブフレーム当たりＳＣ−ＦＤＭＡシンボルの個数である。ＵＬ−ＳＣＨデータ情報に対し、Ｇ＝ＮｓｙｍｂＰＵＳＣＨ＊ＭｓｃＰＵＳＣＨ＊Ｑｍ−ＱＣＱＩ−ＱＲＩであり、この時、ＭｓｃＰＵＳＣＨは、トランスポートブロックの現在サブフレームでＰＵＳＣＨ送信のためのスケジューリングされた帯域幅を副搬送波の個数で表現したものである。ＮｓｙｍｂＰＵＳＣＨ＝（２＊（ＮｓｙｍｂＵＬ−１）−ＮＳＲＳ）に決定されることができる。端末が初期送信のためにＰＵＳＣＨとＳＲＳを同じサブフレームで送信することと構成されたり、初期送信のためのＰＵＳＣＨリソース割当がセル特定ＳＲＳサブフレーム及びＳＲＳ送信のために割り当てられた帯域幅と部分的に重なる場合にはＮＳＲＳ＝１であり、残りの場合にはＮＳＲＳ＝０である。
【０１２０】
ＣＱＩ送信でペイロードの大きさが１１ビットより小さい場合には、ＣＱＩ情報のチャネルコーディングは入力シーケンスｏ０，．．．，ｏＯ−１に基づいて実行される。ペイロードの大きさが１１ビットより大きい場合には、ＣＱＩ情報に対するＣＲＣ追加、チャネルコーディング及びレートマッチングが各々実行される。ＣＲＣ追加過程の入力シーケンスがｏ０，．．．，ｏＯ−１になる。ＣＲＣが追加された出力シーケンスがチャネルコーディング過程の入力シーケンスになり、チャネルコーディング過程の出力シーケンスがレートマッチング過程の入力シーケンスになる。ＣＱＩ情報の最終チャネルコーディングの出力シーケンスはｑ０，．．．，ｑＣＱＩ−１で表現することができる。
【０１２１】
ステップＳ１５０で、データと制御情報に対する多重化が実行される。この時、ＨＡＲＱ−ＡＣＫ情報は、サブフレームの２個のスロットの両方ともに存在し、ＤＭＲＳ（Ｄｅｍｏｄｕｌａｔｉｏｎ  Ｒｅｆｅｒｅｎｃｅ  Ｓｉｇｎａｌ）周囲のリソースにマッピングされることができる。データと制御情報を多重化することによって、データと制御情報は、互いに異なる変調シンボルにマッピングされることができる。一方、アップリンクセルのサブフレームで一つ以上のＵＬ−ＳＣＨトランスポートブロックが送信される場合、ＣＱＩ情報は、最も高いＭＣＳ（Ｍｏｄｕｌａｔｉｏｎ  ａｎｄ  Ｃｏｄｉｎｇ  Ｓｃｈｅｍｅ）を有するＵＬ−ＳＣＨトランスポートブロック上のデータと多重化されることができる。
【０１２２】
ステップＳ１６０で、チャネルインターリービング（ｃｈａｎｎｅｌ  ｉｎｔｅｒｌｅａｖｉｎｇ）が実行される。チャネルインターリービングは、ＰＵＳＣＨリソースマッピングと連結されて実行されることができ、チャネルインターリービングにより変調シンボルが送信波形（ｔｒａｎｓｍｉｔ  ｗａｖｅｆｏｒｍ）で時間優先マッピング（ｔｉｍｅ  ｆｉｒｓｔ  ｍａｐｐｉｎｇ）されることができる。ＨＡＲＱ−ＡＣＫ情報は、アップリンクＤＲＭＳ週位のリソースにマッピングされることができ、ＲＩ情報は、ＨＡＲＱ−ＡＣＫ情報により使われるリソース周囲にマッピングされることができる。
【０１２３】
以下、提案されたデータ送信方法を説明する。前述した通り、ＬＴＥ−Ａは任意のセルで複数のコンポーネント搬送波を送信リソースとして使用することができ、個別端末はダウンリンクまたはアップリンクの送信に使われる搬送波を固有に設定する。また、単一搬送波でＳＲＳとＰＵＣＣＨが同じサブフレームに割り当てられる場合に端末のサウンディング過程がＬＴＥ  ｒｅｌ−８に定義されているが、搬送波集合システムではこれに対して定義されていない。従って、本発明は、複数のコンポーネント搬送波が存在する搬送波集合システムでＰＵＣＣＨとＳＲＳの送信方法を提案する。
【０１２４】
搬送波集合システムでＳＲＳの送信は、各コンポーネント搬送波別に独立的に構成される。即ち、ＳＲＳの実際送信有無と関係無しにＳＲＳが送信されることができるサブフレームは、各コンポーネント搬送波別に独立的に構成される。例えば、特定サブフレームで、第１の搬送波はＳＲＳを送信するように構成され、第２の搬送波はＰＵＣＣＨを送信するように構成されることができる。このように、同じサブフレームで、一つの搬送波はＳＲＳを送信し、他の搬送波はＰＵＣＣＨを送信する時、ＳＲＳに対する単一搬送波特性（ｓｉｎｇｌｅ  ｃａｒｒｉｅｒ  ｐｒｏｐｅｒｔｙ）を維持し難い。特に、ＳＲＳが送信されるＳＣ−ＦＤＭＡシンボルで、ＰＡＰＲ（Ｐｅａｋ−ｔｏ−Ａｖｅｒａｇｅ  Ｐｏｗｅｒ  Ｒａｔｉｏ）及びＣＭ（Ｃｕｂｉｃ  Ｍｅｔｒｉｃ）特性の劣化が発生する。これによって、同じサブフレームで、互いに異なるコンポーネント搬送波で送信されるＳＲＳとＰＵＣＣＨに対して各端末に割り当てられる最大送信電力が制限されることができ、特にＳＲＳのカバレッジ（ｃｏｖｅｒａｇｅ）の増加のためにパワーブースティング（ｐｏｗｅｒ  ｂｏｏｓｔｉｎｇ）が適用される場合には各端末の最大送信電力がより一層制限されることができる。
【０１２５】
一方、ＳＲＳ送信方法は、２つに区分されることができる。ＬＴＥ  ｒｅｌ−８で定義された方法として、ＲＲＣ（Ｒａｄｉｏ  Ｒｅｓｏｕｒｃｅ  Ｃｏｎｔｒｏｌ）シグナリングにより受信したＳＲＳパラメータによって周期的にＳＲＳを送信する周期的（ｐｅｒｉｏｄｉｃ）ＳＲＳ送信方法と、基地局から動的（ｄｙｎａｍｉｃ）に誘発（ｔｒｉｇｇｅｒ）されるメッセージに基づいて必要な時にＳＲＳを送信する非周期的（ａｐｅｒｉｏｄｉｃ）ＳＲＳ送信方法と、が存在する。ＬＴＥ−Ａで非周期的ＳＲＳ送信方法が導入されることができる。
【０１２６】
周期的ＳＲＳ送信方法及び非周期的ＳＲＳ送信方法で、ＳＲＳは、端末特定（ＵＥ−ｓｐｅｃｉｆｉｃ）するように決定された端末特定ＳＲＳサブフレームで送信されることができる。ＬＴＥ  ｒｅｌ−８で定義された周期的ＳＲＳ送信方法で、セル特定ＳＲＳパラメータにより周期的にセル特定ＳＲＳサブフレームが設定され、セル特定ＳＲＳサブフレームのうち端末特定ＳＲＳパラメータにより設定される周期的な端末特定ＳＲＳサブフレームで周期的ＳＲＳが送信される。この時、周期的な端末特定ＳＲＳサブフレームは、セル特定ＳＲＳサブフレームの部分集合である。前記セル特定ＳＲＳパラメータは、上位階層（ｈｉｇｈｅｒ  ｌａｙｅｒ）により与えられることができる。非周期的ＳＲＳ送信方法で、非周期的ＳＲＳは、端末特定非周期的ＳＲＳパラメータにより決定される非周期的な端末特定ＳＲＳサブフレームで送信されることができる。非周期的ＳＲＳ送信方法の端末特定ＳＲＳサブフレームは、ＬＴＥ  ｒｅｌ−８で定義されたようにセル特定ＳＲＳサブフレームの部分集合である。または、非周期的端末特定ＳＲＳサブフレームは、セル特定ＳＲＳサブフレームと同じである。前記端末特定非周期的ＳＲＳパラメータも前記セル特定ＳＲＳパラメータと同様に上位階層により与えられることができる。端末特定ＳＲＳサブフレームは、前述した表３または表４のサブフレーム周期及びサブフレームオフセットにより設定されることができる。
【０１２７】
従って、本発明は、搬送波集合システムで端末特定するようにまたはセル特定するように決定されたＳＲＳサブフレームでＳＲＳとＰＵＣＣＨ／ＰＵＳＣＨを同時に割り当て、ＳＲＳ送信の単一搬送波特性を維持して送信電力を減らすための方法を提案する。
【０１２８】
以下、各ＰＵＣＣＨフォーマットによって本発明を説明する。
【０１２９】
１）ＰＵＣＣＨフォーマット１／１ａ／１ｂ
ＰＵＣＣＨフォーマット１はＳＲを運ぶ。この時、ＯＯＫ（Ｏｎ−Ｏｆｆ  Ｋｅｙｉｎｇ）方式が適用されることができる。ＰＵＣＣＨフォーマット１ａは、一つの符号語（ｃｏｄｅｗｏｒｄ）に対してＢＰＳＫ（Ｂｉｔ  Ｐｈａｓｅ  Ｓｈｉｆｔ  Ｋｅｙｉｎｇ）方式に変調されたＡＣＫ／ＮＡＣＫを運ぶ。ＰＵＣＣＨフォーマット１ｂは、２個の符号語に対してＱＰＳＫ（Ｑｕａｄｒａｔｕｒｅ  Ｐｈａｓｅ  Ｓｈｉｆｔ  Ｋｅｙｉｎｇ）方式に変調されたＡＣＫ／ＮＡＣＫを運ぶ。
【０１３０】
搬送波集合システムで、ＳＲＳとＰＵＣＣＨ／ＰＵＳＣＨを同じサブフレームに割り当てて送信し、ＳＲＳ送信の単一搬送波特性を維持するために、ＳＲＳの割当とＰＵＣＣＨ／ＰＵＳＣＨの割当のうちいずれか一つを優先することができる。
【０１３１】
まず、ＳＲＳを優先することができる。
【０１３２】
同じサブフレームで、複数のコンポーネント搬送波を介してＳＲＳとＰＵＣＣＨ／ＰＵＳＣＨが同時に割り当てられる時、ＳＲＳの割当及び送信が優先される場合である。このために、該当サブフレームでＳＲＳが割り当てられる最後のＳＣ−ＦＤＭＡシンボルではＰＵＣＣＨ／ＰＵＳＣＨの送信が制限されることができる。この時、ＳＲＳが割り当てられる最後のＳＣ−ＦＤＭＡシンボルでＰＵＣＣＨを送信しない方法として、ＰＵＣＣＨは縮小されたＰＵＣＣＨフォーマット１／１ａ／１ｂを使用することができる。ＳＲＳが割り当てられる最後のＳＣ−ＦＤＭＡシンボルでＰＵＳＣＨを送信しない方法として、ＰＵＳＣＨに対するレートマッチングまたはパンチャリング（ｐｕｎｃｔｕｒｉｎｇ）が適用されることができる。レートマッチングにより送信単位時間（ＴＴＩ；Ｔｒａｎｓｍｉｓｓｉｏｎ  Ｔｉｍｅ  Ｉｎｔｅｒｔｖａｌ）毎に送信するデータの量と実際データを送信するＰＵＳＣＨの最大送信量を一致させることができ、本発明ではＳＲＳが割り当てられる最後のＳＣ−ＦＤＭＡシンボルを除いてレートマッチングを実行することができる。または、送信するデータの量と一つのサブフレーム内でＰＵＳＣＨを介して送信することができるデータの最大送信量を一致させた状態で、ＳＲＳが割り当てられる最後のＳＣ−ＦＤＭＡシンボルに割り当てられたデータは、ＰＵＳＣＨを介して送信しないパンチャリングを実行することができる。
【０１３３】
図１１乃至図１３は、提案されたＳＲＳサブフレームでのデータ送信方法に対する構成の一例である。
【０１３４】
図１１乃至図１３のＳＲＳサブフレームは、端末特定するように決定されたＳＲＳサブフレームのうちいずれか一つのサブフレームである。または、図１１乃至図１３のＳＲＳサブフレームは、セル特定するように決定されたＳＲＳサブフレームのうちいずれか一つのサブフレームである。
【０１３５】
図１１−（ａ）は、ＳＲＳを送信するＵＬ  ＣＣにＰＵＳＣＨが同時に割り当てられる場合である。ＵＬ  ＣＣ＃２のＳＲＳサブフレームの最後のＳＣ−ＦＤＭＡシンボルがＳＲＳ送信のために割り当てられ、残りのＳＣ−ＦＤＭＡシンボルにＰＵＳＣＨが割り当てられてデータが送信されることができる。ＵＬ  ＣＣ＃１には縮小されたＰＵＣＣＨフォーマット１／１ａ／１ｂを使用するＰＵＣＣＨが割り当てられてアップリンク制御情報（ＵＣＩ；Ｕｐｌｉｎｋ  Ｃｏｎｔｒｏｌ  Ｉｎｆｏｒｍａｔｉｏｎ）が送信されることができる。前述したように、単一搬送波システムで、端末は、ａｃｋＮａｃｋＳＲＳ−ＳｉｍｕｌｔａｎｅｏｕｓＴｒａｎｓｍｉｓｓｉｏｎパラメータがトルー（ｔｒｕｅ）である場合、ＳＲＳ送信とＡＣＫ／ＮＡＣＫ及び／または肯定ＳＲを運ぶＰＵＣＣＨの送信が同じサブフレームで構成されると、縮小されたＰＵＣＣＨフォーマット１／１ａ／１ｂを使用し、ＡＣＫ／ＮＡＣＫ及び／または肯定ＳＲを運ぶＰＵＣＣＨとＳＲＳを同時に送信する。即ち、セル特定するように設定されるＳＲＳサブフレーム内にＡＣＫ／ＮＡＣＫ及び／または肯定ＳＲを運ぶＰＵＣＣＨが構成される場合には、縮小されたＰＵＣＣＨフォーマット１／１ａ／１ｂを使用し、ＡＣＫ／ＮＡＣＫ及び／または肯定ＳＲを運ぶＰＵＣＣＨとＳＲＳを同時に送信する。これを搬送波集合システムに適用し、ＵＬ  ＣＣ＃１が縮小されたＰＵＣＣＨフォーマット１／１ａ／１ｂを使用し、ＵＬ  ＣＣ＃２にＳＲＳが送信されるように構成される場合、ＵＬ  ＣＣ＃１での縮小されたＰＵＣＣＨフォーマット１／１ａ／１ｂ及びＵＬ  ＣＣ＃２でのＳＲＳが同時に送信されることができる。
【０１３６】
図１１−（ｂ）は、ＳＲＳを送信するＵＬ  ＣＣにＰＵＳＣＨが割り当てられない場合である。ＵＬ  ＣＣ＃２のＳＲＳサブフレームの最後のＳＣ−ＦＤＭＡシンボルがＳＲＳ送信のために割り当てられる。ＵＬ  ＣＣ＃１には縮小されたＰＵＣＣＨフォーマット１／１ａ／１ｂを使用するＰＵＣＣＨが割り当てられてＵＣＩが送信されることができる。前述したように、単一搬送波システムで、端末は、ａｃｋＮａｃｋＳＲＳ−ＳｉｍｕｌｔａｎｅｏｕｓＴｒａｎｓｍｉｓｓｉｏｎパラメータがトルー（ｔｒｕｅ）である場合、ＳＲＳ送信とＡＣＫ／ＮＡＣＫ及び／または肯定ＳＲを運ぶＰＵＣＣＨの送信が同じサブフレームで構成されると、縮小されたＰＵＣＣＨフォーマット１／１ａ／１ｂを使用し、ＡＣＫ／ＮＡＣＫ及び／または肯定ＳＲを運ぶＰＵＣＣＨとＳＲＳを同時に送信する。即ち、セル特定するように設定されるＳＲＳサブフレーム内にＡＣＫ／ＮＡＣＫ及び／または肯定ＳＲを運ぶＰＵＣＣＨが構成される場合には、縮小されたＰＵＣＣＨフォーマット１／１ａ／１ｂを使用し、ＡＣＫ／ＮＡＣＫ及び／または肯定ＳＲを運ぶＰＵＣＣＨとＳＲＳを同時に送信する。これを搬送波集合システムに適用し、ＵＬ  ＣＣ＃１が縮小されたＰＵＣＣＨフォーマット１／１ａ／１ｂを使用し、ＵＬ  ＣＣ＃２にＳＲＳが送信されるように構成される場合、ＵＬ  ＣＣ＃１での縮小されたＰＵＣＣＨフォーマット１／１ａ／１ｂ及びＵＬ  ＣＣ＃２でのＳＲＳが同時に送信されることができる。
【０１３７】
図１２−（ａ）は、ＳＲＳを送信するＵＬ  ＣＣにＰＵＳＣＨが同時に割り当てられ、ＰＵＣＣＨを送信するＵＬ  ＣＣにもＰＵＳＣＨが同時に割り当てられる場合である。ＵＬ  ＣＣ＃２のＳＲＳサブフレームの最後のＳＣ−ＦＤＭＡシンボルがＳＲＳ送信のために割り当てられる。図１２−（ｂ）は、ＳＲＳを送信するＵＬ  ＣＣにＰＵＳＣＨが割り当てられず、ＰＵＣＣＨを送信するＵＬ  ＣＣにＰＵＳＣＨが同時に割り当てられる場合である。ＵＬ  ＣＣ＃２のＳＲＳサブフレームの最後のＳＣ−ＦＤＭＡシンボルがＳＲＳ送信のために割り当てられる。
【０１３８】
図１３は、ＳＲＳを送信するＵＬ  ＣＣにＰＵＳＣＨが同時に割り当てられ、ＰＵＣＣＨを介して送信されるＵＣＩがＰＵＳＣＨを介してピギーバック（ｐｉｇｇｙｂａｃｋ）されてアップリンクデータと共に送信される場合である。ＵＬ  ＣＣ＃２のＳＲＳサブフレームの最後のＳＣ−ＦＤＭＡシンボルがＳＲＳ送信のために割り当てられ、ＵＬ  ＣＣ＃１でＵＣＩはＰＵＳＣＨを介して送信される。
【０１３９】
図１１乃至図１３で縮小されたＰＵＣＣＨフォーマット１／１ａ／１ｂが使われると仮定するが、これに制限されるものではない。縮小されたＰＵＣＣＨフォーマット１／１ａ／１ｂの代わりに縮小されたＰＵＣＣＨフォーマット２／２ａ／２ｂ、縮小されたＰＵＣＣＨフォーマット３、または今後に定義されるいかなるＰＵＣＣＨフォーマットにも本発明が適用されることができる。
【０１４０】
ＰＵＳＣＨはＳＲＳに割り当てられた最後のＳＣ−ＦＤＭＡシンボルを除いてレートマッチングされることができる。ＳＲＳの送信帯域幅とＰＵＳＣＨが占める帯域幅の関係に対する制限無しに、該当ＳＲＳサブフレームでのＰＵＳＣＨ送信は、ＳＲＳを送信しない残りのＳＣ−ＦＤＭＡシンボルでＰＵＳＣＨ送信が行われるようにレートマッチングされることができる。または、ＰＵＳＣＨをレートマッチングせずに最後のＳＣ−ＦＤＭＡシンボルに割り当てられたＰＵＳＣＨをパンチャリングすることもできる。ＰＵＳＣＨをレートマッチングすることで、ＰＵＳＣＨを介してデータを送信する時、１個のＳＣ−ＦＤＭＡシンボルほどのデータ率（ｄａｔａ  ｒａｔｅ）を減少させ、ＳＲＳ送信の信頼性及びカバレッジを高めることができる。また、ＳＲＳ送信の観点でＳＲＳサブフレームの最後のＳＣ−ＦＤＭＡシンボルで単一搬送波特性を維持することができる。
【０１４１】
図１１乃至図１３のＳＲＳサブフレームの最後のＳＣ−ＦＤＭＡシンボルでＳＲＳが占める帯域幅は、全体システム帯域幅、或いは狭帯域（ｎａｒｒｏｗ  ｂａｎｄ）または部分帯域幅（ｐａｒｔｉａｌ  ｂａｎｄｗｉｄｔｈ）である。また、ＬＴＥ  ｒｅｌ−８／９で定義された端末特定ＳＲＳ帯域幅、或いはＬＴＥ−Ａで新たに設定されるＳＲＳ帯域幅である。残りのＳＣ−ＦＤＭＡシンボルでＰＵＳＣＨが占める帯域幅にも制限がない。
【０１４２】
前述されたレートマッチングまたはパンチャリングは、該当端末の送信モードまたはチャネル環境によって選択的に適用されることができ、これは既に定義されている他のパラメータを介して暗黙的に指示されたり、新たに定義されるパラメータを明示的にシグナリングすることで指示されることができる。また、使われるＰＵＣＣＨフォーマットの種類、ＰＵＣＣＨを介して送信されるべきＵＣＩをＰＵＳＣＨによりピギーバックし、アップリンクデータと共に送信するか否かなども既に定義されている他のパラメータを介して暗黙的に指示されたり、新たに定義されるパラメータを明示的にシグナリングすることで指示されることができる。この時、セル特定または端末特定のうちいずれか一つの方式に構成されることができる。
【０１４３】
または、複数の端末のＳＲＳ送信帯域が一つの搬送波内で多重化されるように上位階層またはシグナリングを介して指示される場合、少なくとも該当搬送波内では複数の端末のレートマッチングまたはパンチャリングをセル特定または搬送波特定（ｃａｒｒｉｅｒ−ｓｐｅｃｉｆｉｃ）するように適用することができる。
【０１４４】
または、複数の端末のＳＲＳ送信帯域が一つの搬送波内で多重化されるように上位階層またはシグナリングを介して指示される場合であるとしても、ＰＵＳＣＨのレートマッチングまたはパンチャリング適用可否は、端末特定するように明示的にＬ１／Ｌ２シグナリングまたはＲＲＣシグナリングされることができる。
【０１４５】
または、ＳＲＳの代わりにＰＵＣＣＨ／ＰＵＳＣＨを優先することができる。
【０１４６】
同じサブフレームで、複数のコンポーネント搬送波を介してＳＲＳとＰＵＣＣＨ／ＰＵＳＣＨが同時に割り当てられる時、ＰＵＣＣＨ／ＰＵＳＣＨの割当及び送信が優先される。即ち、ＳＲＳの送信が省略（ｄｒｏｐ）され、割り当てられたＰＵＳＣＨを介してアップリンクデータを送信することができ、一般ＰＵＣＣＨフォーマット１／１ａ／１ｂを介してＵＣＩを送信することができる。これによって、端末の多重化容量及び性能を既存と同じに維持し、ＰＵＳＣＨ送信のデータ率とＰＵＳＣＨを介して送信されるデータのＱｏＳ（Ｑｕａｌｉｔｙ  ｏｆ  Ｓｅｒｖｉｃｅ）を保障することができる。
【０１４７】
または、ＳＲＳを優先して割り当てるかＰＵＣＣＨ／ＰＵＳＣＨを優先して割り当てるかをＲＲＣメッセージを介して決定することができる。各端末の送信モードまたはチャネル環境によってリソース割当方法を流動的に変更することができるという長所がある。例えば、ＰＵＳＣＨとＰＵＣＣＨの同時送信を指示するＲＲＣメッセージによってＳＲＳを優先して割り当てるかＰＵＣＣＨ／ＰＵＳＣＨを優先して割り当てるかを選択することができる。即ち、ＰＵＳＣＨとＰＵＣＣＨの同時送信が指示される場合には、ＳＲＳを優先してＳＲＳサブフレームでＳＲＳとＰＵＣＣＨ／ＰＵＳＣＨを同時に送信し、ＰＵＳＣＨとＰＵＣＣＨの同時送信が指示されない場合には、ＰＵＣＣＨ／ＰＵＳＣＨを優先してＳＲＳの送信を省略することができる。または、新たに定義されるＲＲＣメッセージによってＳＲＳを優先して割り当てるかＰＵＣＣＨ／ＰＵＳＣＨを優先して割り当てるかを選択することができる。
【０１４８】
一方、以上の説明は、２個以上のＣＣで構成される搬送波集合システムで本発明が適用されると仮定するが、これに制限されるものではなく、搬送波の個数が１個である場合にも本発明が適用されることができる。即ち、一つのＣＣ内でＳＲＳとＰＵＣＣＨ／ＰＵＳＣＨが同時に送信されるように構成される場合に本発明の適用が可能である。より具体的に、ＳＲＳの送信を優先し、縮小されたＰＵＣＣＨフォーマット１／１ａ／１ｂとＳＲＳがＳＲＳサブフレームに同時に割り当てられて送信されることができる。これによって、ＵＣＩ送信の信頼性及びカバレッジを高めることができる。また、ＳＲＳ送信の観点でＳＲＳサブフレームの最後のＳＣ−ＦＤＭＡシンボルで単一搬送波特性を維持することができる。または、ＰＵＣＣＨ／ＰＵＳＣＨの送信を優先し、ＳＲＳの送信を省略（ｄｒｏｐ）することができる。割り当てられたＰＵＳＣＨを介してアップリンクデータを送信することができ、一般ＰＵＣＣＨフォーマット１／１ａ／１ｂまたは縮小されたＰＵＣＣＨフォーマット１／１ａ／１ｂを介してＵＣＩを送信することができる。これによって、端末の多重化容量及び性能を既存と同じに維持し、ＰＵＳＣＨ送信のデータ率とＰＵＳＣＨを介して送信されるデータのＱｏＳ（Ｑｕａｌｉｔｙ  ｏｆ  Ｓｅｒｖｉｃｅ）を保障することができる。ＳＲＳの送信を優先するかＰＵＣＣＨ／ＰＵＳＣＨの送信を優先するかは、ＬＴＥ  ｒｅｌ−８で定義されたＡＣＫ／ＮＡＣＫとＳＲＳの同時送信可否を指示するパラメータにより指示されることができる。または、ＰＵＳＣＨとＰＵＣＣＨの同時送信を指示するＲＲＣメッセージによってＳＲＳを優先して割り当てるかＰＵＣＣＨ／ＰＵＳＣＨを優先して割り当てるかを選択することができる。または、新たに定義されるＲＲＣメッセージによってＳＲＳを優先して割り当てるかＰＵＣＣＨ／ＰＵＳＣＨを優先して割り当てるかを選択することができる。
【０１４９】
２）ＰＵＣＣＨフォーマット２／２ａ／２ｂ
ＰＵＣＣＨフォーマット２は、多様な変調方式により変調されたＣＱＩ（Ｃｈａｎｎｅｌ  Ｑｕａｌｉｔｙ  Ｉｎｄｉｃａｔｏｒ）を運ぶ。ＰＵＣＣＨフォーマット２ａと２ｂはＣＱＩとＡＣＫ／ＮＡＣＫを運ぶ。
【０１５０】
ＰＵＣＣＨフォーマット２／２ａ／２ｂの場合でもＰＵＣＣＨフォーマット１／１ａ／１ｂと同様に、搬送波集合システムで、ＳＲＳとＰＵＣＣＨ／ＰＵＳＣＨを同じサブフレームに割り当てて送信し、ＳＲＳ送信の単一搬送波特性を維持するために、ＳＲＳの割当とＰＵＣＣＨ／ＰＵＳＣＨの割当のうちいずれか一つを優先することができる。
【０１５１】
図１４乃至図１６は、提案されたＳＲＳサブフレームでのデータ送信方法に対する構成の他の例である。
【０１５２】
図１４乃至図１６のＳＲＳサブフレームは、端末特定するように決定されたＳＲＳサブフレームのうちいずれか一つのサブフレームである。図１４乃至図１６のＳＲＳサブフレームは、セル特定するように決定されたＳＲＳサブフレームのうちいずれか一つのサブフレームである。
【０１５３】
図１４は、ＳＲＳをＰＵＣＣＨ／ＰＵＳＣＨより優先する場合である。図１４−（ａ）は、ＳＲＳを送信するＵＬ  ＣＣにＰＵＳＣＨが同時に割り当てられる場合である。ＵＬ  ＣＣ＃２のＳＲＳサブフレームの最後のＳＣ−ＦＤＭＡシンボルがＳＲＳ送信のために割り当てられ、残りのＳＣ−ＦＤＭＡシンボルにＰＵＳＣＨが割り当てられてデータが送信されることができる。ＵＬ  ＣＣ＃１には、ＰＵＣＣＨフォーマット２／２ａ／２ｂを使用するＰＵＣＣＨが割り当てられてアップリンク制御情報が送信されることができる。この時、ＵＬ  ＣＣ＃１のＰＵＣＣＨフォーマット２／２ａ／２ｂ及びＵＬ  ＣＣ＃２のＰＵＳＣＨに対してＳＲＳに割り当てられた最後のＳＣ−ＦＤＭＡシンボルを除いてレートマッチングが実行されたり、最後のＳＣ−ＦＤＭＡシンボルに対するパンチャリングが適用される。図１４−（ｂ）は、ＳＲＳを送信するＵＬ  ＣＣにＰＵＳＣＨが同時に割り当てられない場合である。ＵＬ  ＣＣ＃２のＳＲＳサブフレームの最後のＳＣ−ＦＤＭＡシンボルがＳＲＳ送信のために割り当てられる。ＵＬ  ＣＣ＃１には、ＰＵＣＣＨフォーマット２／２ａ／２ｂを使用するＰＵＣＣＨが割り当てられてアップリンク制御情報が送信されることができる。この時、ＵＬ  ＣＣ＃１のＰＵＣＣＨフォーマット２／２ａ／２ｂに対してＳＲＳに割り当てられた最後のＳＣ−ＦＤＭＡシンボルを除いてレートマッチングが実行されたり、最後のＳＣ−ＦＤＭＡシンボルに対するパンチャリングが適用される。
【０１５４】
図１５は、ＰＵＣＣＨ／ＰＵＳＣＨをＳＲＳより優先する場合である。図１５−（ａ）は、ＳＲＳを送信するように構成されるＵＬ  ＣＣにＰＵＳＣＨが同時に割り当てられる場合である。ＵＬ  ＣＣ＃２のＳＲＳの送信は省略され、ＰＵＳＣＨが割り当てられてデータが送信されることができる。ＵＬ  ＣＣ＃１には、ＰＵＣＣＨフォーマット２／２ａ／２ｂを使用するＰＵＣＣＨが割り当てられてアップリンク制御情報が送信されることができる。図１４−（ｂ）は、ＳＲＳを送信するように構成されるＵＬ  ＣＣにＰＵＳＣＨが同時に割り当てられない場合である。ＵＬ  ＣＣ＃２のＳＲＳの送信は省略される。ＵＬ  ＣＣ＃１には、ＰＵＣＣＨフォーマット２／２ａ／２ｂを使用するＰＵＣＣＨが割り当てられてアップリンク制御情報が送信されることができる。
【０１５５】
図１６は、ＳＲＳをＰＵＣＣＨ／ＰＵＳＣＨより優先する場合である。図１６−（ａ）は、ＳＲＳを送信するＵＬ  ＣＣにＰＵＳＣＨが同時に割り当てられる場合である。ＵＬ  ＣＣ＃２のＳＲＳサブフレームの最後のＳＣ−ＦＤＭＡシンボルがＳＲＳ送信のために割り当てられ、残りのＳＣ−ＦＤＭＡシンボルにＰＵＳＣＨが割り当てられてデータが送信されることができる。ＵＬ  ＣＣ＃１のＰＵＣＣＨフォーマット２／２ａ／２ｂは省略される。ＵＣＩは、ＰＵＳＣＨを介してピギーバックされてアップリンクデータと共に送信されることができる。この時、ＵＬ  ＣＣ＃２のＰＵＳＣＨに対してＳＲＳに割り当てられた最後のＳＣ−ＦＤＭＡシンボルを除いてレートマッチングが実行されたり、最後のＳＣ−ＦＤＭＡシンボルに対するパンチャリングが適用される。図１６−（ｂ）は、ＳＲＳを送信するＵＬ  ＣＣにＰＵＳＣＨが同時に割り当てられない場合である。ＵＬ  ＣＣ＃２のＳＲＳサブフレームの最後のＳＣ−ＦＤＭＡシンボルがＳＲＳ送信のために割り当てられる。ＵＬ  ＣＣ＃１のＰＵＣＣＨフォーマット２／２ａ／２ｂは省略される。ＵＣＩは、ＰＵＳＣＨを介してピギーバックされてアップリンクデータと共に送信されることができる。
【０１５６】
図１４乃至図１６のＳＲＳサブフレームの最後のＳＣ−ＦＤＭＡシンボルでＳＲＳが占める帯域幅は、全体システム帯域幅、或いは狭帯域または部分帯域幅である。また、ＬＴＥ  ｒｅｌ−８／９で定義された端末特定ＳＲＳ帯域幅、或いはＬＴＥ−Ａで新たに設定されるＳＲＳ帯域幅である。残りのＳＣ−ＦＤＭＡシンボルでＰＵＳＣＨが占める帯域幅にも制限がない。
【０１５７】
前述されたレートマッチングまたはパンチャリングは、該当端末の送信モードまたはチャネル環境によって選択的に適用されることができ、これは既に定義されている他のパラメータを介して暗黙的に指示されたり、新たに定義されるパラメータを明示的にシグナリングすることで指示されることができる。また、使われるＰＵＣＣＨフォーマットの種類、ＰＵＣＣＨを介して送信されるべきＵＣＩをＰＵＳＣＨによりピギーバックしてアップリンクデータと共に送信するか否かなども既に定義されている他のパラメータを介して暗黙的に指示されたり、新たに定義されるパラメータを明示的にシグナリングすることで指示されることができる。この時、セル特定または端末特定のうちいずれか一つの方式で構成されることができる。
【０１５８】
または、複数の端末のＳＲＳ送信帯域が一つの搬送波内で多重化されるように上位階層またはシグナリングを介して指示される場合、少なくとも該当搬送波内では複数の端末のレートマッチングまたはパンチャリングをセル特定または搬送波特定するように適用することができる。
【０１５９】
または、複数の端末のＳＲＳ送信帯域が一つの搬送波内で多重化されるように上位階層またはシグナリングを介して指示される場合であるとしても、ＰＵＳＣＨのレートマッチングまたはパンチャリング適用可否は、端末特定するように明示的にＬ１／Ｌ２シグナリングまたはＲＲＣシグナリングされることができる。
【０１６０】
３）ＰＵＣＣＨフォーマット３
ＰＵＣＣＨフォーマット３は、ＬＴＥ−Ａに導入された拡張されたＰＵＣＣＨフォーマットである。ＰＵＣＣＨフォーマット３は、搬送波集合システムなどでより多くのペイロード（ｐａｙｌｏａｄ）の送信のためにＬＴＥ  Ｒｅｌ−８のＰＵＣＣＨフォーマット１／１ａ／１ｂまたは２／２ａ／２ｂなどを代えて使われることができる。ＡＣＫ／ＮＡＣＫフィードバック情報と同様に、ＣＱＩ／ＰＭＩ（Ｐｒｅｃｏｄｉｎｇ  Ｍａｔｒｉｘ  Ｉｎｄｉｃａｔｏｒ）／ＲＩ（Ｒａｎｋ  Ｉｎｄｉｃａｔｏｒ）を各コンポーネント搬送波別に送信する場合にもペイロードが増加するため、新たなＰＵＣＣＨフォーマットが要求される。
【０１６１】
本発明は、ＰＵＣＣＨフォーマット１／１ａ／１ｂ及びＰＵＣＣＨフォーマット２／２ａ／２ｂに適用される方法と同様にＰＵＣＣＨフォーマット３に適用されることができる。
【０１６２】
図１７乃至図１９は、提案されたＳＲＳサブフレームでのデータ送信方法に対する構成の他の例である。図１７乃至図１９のＳＲＳサブフレームは、端末特定するように決定されたＳＲＳサブフレームのうちいずれか一つのサブフレームである。または、図１７乃至図１９のＳＲＳサブフレームは、セル特定するように決定されたＳＲＳサブフレームのうちいずれか一つのサブフレームである。
【０１６３】
図１７は、ＳＲＳをＰＵＣＣＨ／ＰＵＳＣＨより優先する場合である。図１７−（ａ）は、ＳＲＳを送信するＵＬ  ＣＣにＰＵＳＣＨが同時に割り当てられる場合であり、端末は、縮小されたＰＵＣＣＨフォーマット３を介してＵＣＩを送信し、他の搬送波を介してＳＲＳを同時に送信する。図１７−（ｂ）は、ＳＲＳを送信するＵＬ  ＣＣにＰＵＳＣＨが同時に割り当てられない場合であり、端末は、縮小されたＰＵＣＣＨフォーマット３を介してＵＣＩを送信し、互いに異なる搬送波を介してＳＲＳを同時に送信する。単一搬送波システムで、端末は、ａｃｋＮａｃｋＳＲＳ−ＳｉｍｕｌｔａｎｅｏｕｓＴｒａｎｓｍｉｓｓｉｏｎパラメータがトルー（ｔｒｕｅ）である場合、ＳＲＳ送信とＡＣＫ／ＮＡＣＫ及び／または肯定ＳＲを運ぶＰＵＣＣＨの送信が同じサブフレームで構成されると、縮小されたＰＵＣＣＨフォーマット３を使用し、ＡＣＫ／ＮＡＣＫ及び／または肯定ＳＲを運ぶＰＵＣＣＨとＳＲＳを同時に送信する。即ち、セル特定するように設定されるＳＲＳサブフレーム内にＡＣＫ／ＮＡＣＫ及び／または肯定ＳＲを運ぶＰＵＣＣＨが構成される場合には、縮小されたＰＵＣＣＨフォーマット３を使用し、ＡＣＫ／ＮＡＣＫ及び／または肯定ＳＲを運ぶＰＵＣＣＨとＳＲＳを同時に送信する。従って、ＵＬ  ＣＣ＃１が縮小されたＰＵＣＣＨフォーマット３を使用し、ＵＬ  ＣＣ＃２にＳＲＳが送信されるように構成される場合、ＵＬ  ＣＣ＃１での縮小されたＰＵＣＣＨフォーマット３及びＵＬ  ＣＣ＃２でのＳＲＳが同時に送信されることができる。
【０１６４】
図１８は、ＰＵＣＣＨ／ＰＵＳＣＨをＳＲＳより優先する場合である。図１８−（ａ）は、ＳＲＳを送信するように構成されるＵＬ  ＣＣにＰＵＳＣＨが同時に割り当てられる場合であり、端末は、一般ＰＵＣＣＨフォーマット３を介してＵＣＩを送信し、他の搬送波でのＳＲＳ送信は省略される。図１８−（ｂ）は、ＳＲＳを送信するように構成されるＵＬ  ＣＣにＰＵＳＣＨが同時に割り当てられない場合であり、端末は、一般ＰＵＣＣＨフォーマット３を介してＵＣＩを送信し、他の搬送波でのＳＲＳ送信は省略される。
【０１６５】
図１９は、ＳＲＳをＰＵＣＣＨ／ＰＵＳＣＨより優先する場合である。図１９−（ａ）は、ＳＲＳを送信するＵＬ  ＣＣにＰＵＳＣＨが同時に割り当てられる場合である。図１９−（ｂ）は、ＳＲＳを送信するＵＬ  ＣＣにＰＵＳＣＨが同時に割り当てられない場合である。ＵＬ  ＣＣ＃２のＳＲＳサブフレームの最後のＳＣ−ＦＤＭＡシンボルがＳＲＳ送信のために割り当てられる。ＵＬ  ＣＣ＃１のＰＵＣＣＨフォーマット３は省略される。ＵＣＩは、ＰＵＳＣＨを介してピギーバック方式に送信されることができる。
【０１６６】
図１７乃至図１９のＳＲＳサブフレームの最後のＳＣ−ＦＤＭＡシンボルでＳＲＳが占める帯域幅は、全体システム帯域幅、或いは狭帯域または部分帯域幅である。また、ＬＴＥ  ｒｅｌ−８／９で定義された端末特定ＳＲＳ帯域幅、或いはＬＴＥ−Ａで新たに設定されるＳＲＳ帯域幅である。残りのＳＣ−ＦＤＭＡシンボルでＰＵＳＣＨが占める帯域幅にも制限がない。
【０１６７】
前述されたレートマッチングまたはパンチャリングは、該当端末の送信モードまたはチャネル環境によって選択的に適用されることができ、これは既に定義されている他のパラメータを介して暗黙的に指示されたり、新たに定義されるパラメータを明示的にシグナリングすることで指示されることができる。また、使われるＰＵＣＣＨフォーマットの種類、ＰＵＣＣＨを介して送信されるべきＵＣＩをＰＵＳＣＨを介してピギーバック方式に送信するか否かなども既に定義されている他のパラメータを介して暗黙的に指示されたり、新たに定義されるパラメータを明示的にシグナリングすることで指示されることができる。この時、セル特定または端末特定のうちいずれか一つの方式で構成されることができる。
【０１６８】
または、複数の端末のＳＲＳ送信帯域が一つの搬送波内で多重化されるように上位階層またはシグナリングを介して指示される場合、少なくとも該当搬送波内では複数の端末のレートマッチングまたはパンチャリングをセル特定または搬送波特定するように適用することができる。
【０１６９】
または、複数の端末のＳＲＳ送信帯域が一つの搬送波内で多重化されるように上位階層またはシグナリングを介して指示される場合であるとしても、ＰＵＳＣＨのレートマッチングまたはパンチャリング適用可否は、端末特定するように明示的にＬ１／Ｌ２シグナリングまたはＲＲＣシグナリングされることができる。
【０１７０】
一方、ＬＴＥ−Ａでは、上位階層で指示される場合、ＰＵＳＣＨとＰＵＣＣＨの同時送信がサポートされることができる。ＰＵＳＣＨとＰＵＣＣＨの同時送信が可能の時、単一搬送波特性維持の必要性が減るようになる。従って、ＳＲＳ、ＰＵＣＣＨ、及びＰＵＳＣＨが一つのサブフレームで送信されるように構成される場合、新たなデータ方法が提案されることができる。
【０１７１】
例えば、ＳＲＳ、ＰＵＣＣＨ、及びＰＵＳＣＨをＳＲＳサブフレームで全部送信することができる。ＳＲＳが割り当てられたＣＣではＰＵＳＣＨに対して前述したようにレートマッチングまたはパンチャリングを実行してデータを送信し、ＳＲＳが割り当てられないＣＣでもＰＵＳＣＨを送信する。常にＰＵＳＣＨが送信されるため、データ処理量（ｔｈｒｏｕｇｈｐｕｔ）を増やすことができ、ＳＲＳとＰＵＣＣＨが同時に送信されることでＵＣＩの送信の信頼性を保障することができる。
【０１７２】
この時、端末の送信電力が該当ＳＲＳサブフレームまたはＳＣ−ＦＤＭＡシンボルで最大送信電力を越える場合には、ＳＲＳ、ＰＵＣＣＨ、及びＰＵＳＣＨの優先順位によって送信電力を調整することによって、ＳＲＳ、ＰＵＣＣＨ、及びＰＵＳＣＨを送信することができる。ＳＲＳ、ＰＵＣＣＨ、及びＰＵＳＣＨの優先順位は多様な方法に決定されることができる。例えば、ＰＵＣＣＨ＞ＳＲＳ＞ＰＵＳＣＨの順序である。または、ＰＵＣＣＨ＞ＳＲＳ＞ＰＵＳＣＨ  ｗｉｔｈ  ＵＣＩ＞ＰＵＳＣＨの順序、ＰＵＣＣＨ＞ＰＵＳＣＨ＞ＳＲＳの順序、ＰＵＣＣＨ＞ＰＵＳＣＨ  ｗｉｔｈ  ＵＣＩ＞ＰＵＳＣＨ＞ＳＲＳの順序、またはＰＵＣＣＨ＞ＰＵＳＣＨ  ｗｉｔｈ  ＵＣＩ＞ＳＲＳ＞ＰＵＳＣＨの順序のうちいずれか一つである。
【０１７３】
本発明は、ＰＵＣＣＨ／ＰＵＳＣＨの同時送信可否と別途に、ＳＲＳ、ＰＵＣＣＨ、及びＰＵＳＣＨの同時送信を指示するパラメータにより適用されることができる。前記パラメータは、セル特定または端末特定の方式に送信されることができる。また、前記パラメータは、ＲＲＣ（Ｒａｄｉｏ  Ｒｅｓｏｕｒｃｅ  Ｃｏｎｔｒｏｌ）メッセージを介して上位階層により与えられることができる。前記パラメータがＳＲＳ、ＰＵＣＣＨ、及びＰＵＳＣＨの同時送信を指示しない場合には、前述した方法のように、ＰＵＳＣＨに対するレートマッチングまたはパンチャリング、縮小されたＰＵＣＣＨフォーマットの使用またはＳＲＳ省略などの方法が使われることができる。
【０１７４】
以上の全ての実施例は、一つのサブフレームが１４個のＳＣ−ＦＤＭＡシンボルを含むノーマルＣＰ（Ｃｙｃｌｉｃ  Ｐｒｅｆｉｘ）である場合を仮定したが、本発明は、一つのサブフレームが１２個のＳＣ−ＦＤＭＡシンボルを含む拡張（ｅｘｔｅｎｄｅｄ）ＣＰである場合にも適用が可能である。
【０１７５】
図２０は、提案されたデータ送信方法の一実施例である。ステップＳ２００で、端末は、ＳＲＳサブフレームで、複数のＣＣのうち、第１のＣＣに割り当てられたＰＵＣＣＨリソースを介してＵＣＩを送信する。前記ＳＲＳサブフレームで、前記複数のＣＣのうち、第２のＣＣは、ＳＲＳを送信するように留保されるＳＲＳ  ＳＣ−ＦＤＭＡシンボルを含む。
【０１７６】
図２１は、本発明の実施例が具現される基地局及び端末のブロック図である。
【０１７７】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。プロセッサ８１０は、提案された機能、過程及び／または方法を具現する。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び／または受信する。
【０１７８】
端末９００は、プロセッサ９１０、メモリ９２０、及びＲＦ部９３０を含む。ＲＦ部９３０は、プロセッサ９１０と連結され、ＳＲＳサブフレームで、複数のＣＣのうち、第１のＣＣに割り当てられたＰＵＣＣＨリソースを介してＵＣＩを送信する。この時、前記ＳＲＳサブフレームで、前記複数のＣＣのうち、第２のＣＣは、ＳＲＳの送信のために留保されるＳＲＳ  ＳＣ−ＦＤＭＡシンボルを含むことができる。プロセッサ９１０は、提案された機能、過程及び／または方法を具現する。無線インターフェースプロトコルの階層は、プロセッサ９１０により具現されることができる。メモリ９２０は、プロセッサ９１０と連結され、プロセッサ９１０を駆動するための多様な情報を格納する。
【０１７９】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部８３０、９３０は、無線信号を処理するためのベースバンド回路を含むことができる。実施例がソフトウェアで具現される時、前述した技法は、前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。前述した例示的なシステムで、方法は一連のステップまたはブロックで順序図に基づいて説明されているが、本発明は、ステップの順序に限定されるものではなく、あるステップは、前述と異なるステップと他の順序にまたは同時に発生することができる。また、当業者であれば、順序図に示すステップが排他的でなく、他のステップが含まれたり、順序図の一つまたはその以上のステップが本発明の範囲に影響を及ぼさずに削除可能であることを理解することができる。
【０１８０】
前述した実施例は、多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての交替、修正、及び変更を含む。
【図１】
0005503752.tif 000028
【図２】
0005503752.tif 000029
【図３】
0005503752.tif 000030
【図４】
0005503752.tif 000031
【図５】
0005503752.tif 000032
【図６】
0005503752.tif 000033
【図７】
0005503752.tif 000034
【図８】
0005503752.tif 000035
【図９】
0005503752.tif 000036
【図１０】
0005503752.tif 000037
【図１１】
0005503752.tif 000038
【図１２】
0005503752.tif 000039
【図１３】
0005503752.tif 000040
【図１４】
0005503752.tif 000041
【図１５】
0005503752.tif 000042
【図１６】
0005503752.tif 000043
【図１７】
0005503752.tif 000044
【図１８】
0005503752.tif 000045
【図１９】
0005503752.tif 000046
【図２０】
0005503752.tif 000047
【図２１】
0005503752.tif 000048